(57)【要約】【課題】検査終了が指示された検査に対して、容易に検査追加を行うことができるようにする。【解決手段】検査が終了してから病院内情報システムに検査終了情報作成手段により作成された検査終了情報を送信するまでの送信保留時間を検査情報に基づいて、決定する送信保留時間決定手段と、検査が終了してから送信保留時間が経過した後、検査終了情報作成手段により作成された検査終了情報を病院内情報システムに送信する検査終了情報送信手段と、送信保留時間が経過するまでに操作者による撮影追加指示が行われたか否かを判定する撮影追加指示判定手段と、を有し、操作者による撮影追加指示が行われたと判定された場合、撮影追加指示に応じて追加して撮影した内容を含む検査終了情報を作成し、追加して撮影した内容を含む検査終了情報を送信することを特徴とする。【選択図】図４
2010253044.tif 000002
【特許請求の範囲】
【請求項１】
病院内情報システムと通信可能な医用画像撮影装置であって、
操作者による検査に基づいた撮影指示に応じて撮影し画像データを取得する画像データ取得手段と、
前記画像データ取得手段により画像データを取得するときに撮影した内容を示す検査終了情報を作成する検査終了情報作成手段と、
検査が終了してから前記病院内情報システムに前記検査終了情報作成手段により作成された検査終了情報を送信するまでの送信保留時間を検査情報に基づいて、決定する送信保留時間決定手段と、
前記検査が終了してから前記送信保留時間決定手段により決定された送信保留時間が経過した後、前記検査終了情報作成手段により作成された検査終了情報を前記病院内情報システムに送信する検査終了情報送信手段と、
前記送信保留時間決定手段により決定された送信保留時間が経過するまでに操作者による撮影追加指示が行われたか否かを判定する撮影追加指示判定手段と、を有し、
前記撮影追加指示判定手段により操作者による撮影追加指示が行われたと判定された場合、
前記検査終了情報作成手段は、前記撮影追加指示に応じて追加して撮影した内容を含む検査終了情報を作成し、
前記検査終了情報送信手段は、前記追加して撮影した内容を含む検査終了情報を送信することを特徴とする医用画像撮影装置。
【請求項２】
前記送信保留時間決定手段は、前記検査情報として、前記病院内情報システムから送信される検査要求情報、前記撮影した内容を示す検査実施情報及び検査対象の患者情報の少なくとも何れか一つに基づいて、送信保留時間を決定することを特徴とする請求項１に記載の医用画像撮影装置。
【請求項３】
前記送信保留時間決定手段は、更に、操作者ごとのユーザ撮影追加回数情報及び患者ごとの患者撮影追加回数情報の少なくとも何れか一つに基づいて、送信保留時間を決定することを特徴とする請求項２に記載の医用画像撮影装置。
【請求項４】
前記送信保留時間決定手段は、前記病院内情報システムから送信される検査要求情報、前記撮影した内容を示す検査実施情報、検査対象の患者情報、操作者ごとのユーザ撮影追加回数情報及び患者ごとの患者撮影追加回数情報の指標項目に設定されている得点と重み係数とに基づいて、送信保留時間を算出することを特徴とする請求項３に記載の医用画像撮影装置。
【請求項５】
操作者による選択に応じて、前記病院内情報システムから送信される検査要求情報、前記撮影した内容を示す検査実施情報、検査対象の患者情報、操作者ごとのユーザ撮影追加回数情報及び患者ごとの患者撮影追加回数情報のうち、前記送信保留時間決定手段が送信保留時間を決定するときの基にする情報を設定する指標設定手段を更に有することを特徴とする請求項３又は４に記載の医用画像撮影装置。
【請求項６】
前記指標設定手段は、操作者による設定に応じて、前記病院内情報システムから送信される検査要求情報、前記撮影した内容を示す検査実施情報、検査対象の患者情報、操作者ごとのユーザ撮影追加回数情報及び患者ごとの患者撮影追加回数情報の指標項目に設定されている得点又は重み係数を変更することを特徴とする請求項５に記載の医用画像撮影装置。
【請求項７】
前記指標設定手段は、操作者による設定に応じて、前記送信保留時間決定手段が全ての検査に対して一律の送信保留時間に決定するように設定することを特徴とする請求項５に記載の医用画像撮影装置。
【請求項８】
前記送信保留時間決定手段により決定された送信保留時間を前記検査が終了してからカウントする送信保留時間カウント手段を更に有し、
前記送信保留時間カウント手段は、前記撮影追加指示判定手段により操作者による撮影追加指示が行われたと判定された場合、送信保留時間のカウントをリセットすることを特徴とする請求項１乃至７の何れか１項に記載の医用画像撮影装置。
【請求項９】
前記病院内情報システムから会計処理要求を受信したか否かを判定する会計処理要求判定手段を更に有し、
前記会計処理要求判定手段により会計処理要求が受信されたと判定された場合、
前記検査終了情報送信手段は、前記送信保留時間が経過する前に、前記検査終了情報作成手段により作成された検査終了情報を前記病院内情報システムに送信することを特徴とする請求項１乃至８の何れか１項に記載の医用画像撮影装置。
【請求項１０】
操作者による電源オフの指示要求を受信したが否かを判定する電源オフ指示要求判定手段を更に有し、
前記電源オフ指示要求判定手段により電源オフ指示要求が受信されたと判定された場合、
前記検査終了情報送信手段は、前記送信保留時間が経過する前に、前記検査終了情報作成手段により作成された検査終了情報を前記病院内情報システムに送信することを特徴とする請求項１乃至８の何れか１項に記載の医用画像撮影装置。
【請求項１１】
前記画像データ取得手段により取得された画像データを前記病院内情報システムに送信する画像データ送信手段を更に有し、
前記撮影追加指示判定手段により操作者による撮影追加指示が行われたと判定された場合、
前記画像データ送信手段は、前記画像データ取得手段により追加して取得された画像データを送信することを特徴とする請求項１乃至１０の何れか１項に記載の医用画像撮影装置。
【請求項１２】
前記画像データ送信手段は、前記送信保留時間が経過する前に、前記画像データ取得手段により取得された画像データを前記病院内情報システムとしての画像表示装置に送信することを特徴とする請求項１１に記載の医用画像撮影装置。
【請求項１３】
前記画像表示装置から検像終了通知を受信したか否かを判定する検像終了通知判定手段を更に有し、
前記検像終了通知判定手段により検像終了通知が受信されたと判定された場合、
前記検査終了情報送信手段は、前記送信保留時間が経過する前に、前記検査終了情報作成手段により作成された検査終了情報を前記病院内情報システムに送信することを特徴とする請求項１２に記載の医用画像撮影装置。
【請求項１４】
病院内情報システムと通信可能な医用画像撮影装置における情報処理方法であって、
前記医用画像撮影装置が、
操作者による検査に基づいた撮影指示に応じて撮影し画像データを取得する画像データ取得ステップと、
前記画像データ取得ステップにより画像データを取得するときに撮影した内容を示す検査終了情報を作成する検査終了情報作成ステップと、
検査が終了してから前記病院内情報システムに前記検査終了情報作成ステップにより作成された検査終了情報を送信するまでの送信保留時間を検査情報に基づいて、決定する送信保留時間決定ステップと、
前記検査が終了してから前記送信保留時間決定ステップにより決定された送信保留時間が経過した後、前記検査終了情報作成ステップにより作成された検査終了情報を前記病院内情報システムに送信する検査終了情報送信ステップと、
前記送信保留時間決定ステップにより決定された送信保留時間が経過するまでに操作者による撮影追加指示が行われたか否かを判定する撮影追加指示判定ステップと、を含み、
前記撮影追加指示判定ステップにより操作者による撮影追加指示が行われたと判定された場合、
前記検査終了情報作成ステップでは、前記撮影追加指示に応じて追加して撮影した内容を含む検査終了情報を作成し、
前記検査終了情報送信ステップでは、前記追加して撮影した内容を含む検査終了情報を送信することを特徴とする情報処理方法。
【請求項１５】
病院内情報システムと通信可能なコンピュータに、
操作者による検査に基づいた撮影指示に応じて撮影し画像データを取得する画像データ取得ステップと、
前記画像データ取得ステップにより画像データを取得するときに撮影した内容を示す検査終了情報を作成する検査終了情報作成ステップと、
検査が終了してから前記病院内情報システムに前記検査終了情報作成ステップにより作成された検査終了情報を送信するまでの送信保留時間を検査情報に基づいて、決定する送信保留時間決定ステップと、
前記検査が終了してから前記送信保留時間決定ステップにより決定された送信保留時間が経過した後、前記検査終了情報作成ステップにより作成された検査終了情報を前記病院内情報システムに送信する検査終了情報送信ステップと、
前記送信保留時間決定ステップにより決定された送信保留時間が経過するまでに操作者による撮影追加指示が行われたか否かを判定する撮影追加指示判定ステップと、
前記撮影追加指示判定ステップにより操作者による撮影追加指示が行われたと判定された場合、
前記撮影追加指示に応じて追加して撮影した内容を含む検査終了情報を作成するステップと、
前記追加して撮影した内容を含む検査終了情報を送信するステップとを実行させるためのプログラム。
【発明の詳細な説明】
【技術分野】
【０００１】
本発明は、医用画像撮影装置、医用画像撮影装置の情報処理方法及びプログラムに関する。
【背景技術】
【０００２】
従来から、医師が患者の病状を確認したり、診断を行ったりするための医用画像を取得する医用画像撮影装置が用いられている。医用画像撮影装置には、放射線を使用したＸ線撮影装置やＸ線ＣＴ装置、ＭＲＩに代表される磁気共鳴画像撮影装置、PETやSPECTに代表される、核医学撮影装置、超音波撮影装置等、様々な種類が存在する。これらの医用画像撮影装置によって取得される医用画像も形態的な画像から、例えば脳の血流量のように機能的な値を画像化したものまで種々の画像が存在する。医師は、患者の病状に合わせて必要な画像を判断し、それに伴った医用画像撮影装置を利用して取得した画像に基づいて診断を行っている。
【０００３】
近年、これらの医用画像撮影装置を用いた検査の運用をスムーズかつ正確に行うため、病院内情報システムとネットワークを介して情報通信を行っている。病院内情報システムには、例えば患者名や患者ＩＤ等の患者情報や検査を行う日時や撮影の内容等を含んだ検査要求情報等の情報を管理する病院情報システム（HOSPITAL  INFORMATION  SYSTEM：以下、「ＨＩＳ」という。）がある。また、特に放射線科における患者情報や検査要求情報等の情報を管理するために放射線科情報管理システム（RADIOLOGY  INFORMATION  SYSTEM：以下、「ＲＩＳ」という。）がある。一方では、取得した医用画像を保存したり表示したりして診断に利用するための画像保存表示装置等がある。これら病院内情報システムと医用画像撮影装置とがネットワークを介して情報通信するための標準規格としてDIGITAL  IMAGING  AND  COMMUNICATION  IN  MEDICINE（以下、「ＤＩＣＯＭ」という）やHEALTH  LEVEL  SEVEN（以下、「ＨＬ７」という）が規定されている。
更に、近年では、医療の臨床現場における様々なユースケースに対してＤＩＣＯＭやＨＬ７といった標準規格の利用方法を統一することで、病院内システムのマルチベンダ化を促進することを目的としたガイドラインであるINTEGRATED  HEALTHCARE  ENTERPRISE（以下、「IHE」という）が存在する。
【０００４】
ここで、医用画像撮影装置とＨＩＳ／ＲＩＳとの間で行われる検査実施の通信の概略を図２２を参照して説明する。図２２は、医用画像撮影装置とＨＩＳ／ＲＩＳとのシーケンス図の一例を示す。
図２２に示すように、医用画像撮影装置１００は、技師１２０による検索条件を用いた検査要求情報取得指示に応じてＨＩＳ／ＲＩＳ１１０に検査要求情報要求を行い、検索条件に応じた検査要求情報を取得する。医用画像撮影装置１００は、取得した検査要求情報を解析する。次に、医用画像撮影装置１００は、取得した検査要求情報から技師１２０により実施する検査を選択した検査開始指示に応じて検査開始通知を行う。次に、医用画像撮影装置１００は、技師１２０による撮影指示に応じて例えばＸ線を曝射して、医用画像データを取得する。この処理は、必要に応じて繰り返し行う。次に、医用画像撮影装置１００は、技師１２０による検査終了指示に応じて検査終了通知を作成し、その後ＨＩＳ／ＲＩＳ１１０に検査終了通知を行う。
【０００５】
このように、ＨＩＳ／ＲＩＳ１１０を用いて通信を行った場合の検査実施においては、検査の開始又は終了（中断を含む）を行う場合、医用画像撮影装置１００からＨＩＳ／ＲＩＳ１１０に対して、検査開始通知や検査終了通知等を行っている。このようにすることで、ＨＩＳ／ＲＩＳ１１０が、現在要求している各検査における医用画像撮影装置１００の実施状況を把握することができる。なお、医用画像撮影装置１００がＨＩＳ／ＲＩＳ１１０に検査開始通知や検査終了通知を行うタイミングは、技師１２０が医用画像撮影装置１００上のＧＵＩで検査開始ボタンや終了ボタンを押すタイミングで行っている。あるいは、検査終了通知においては次検査が開始されたタイミングで前に実施された検査の検査終了を通知するようにしている。これにより、病院内システムにおける種々の処理を円滑に行うようにすることができる。
【０００６】
ここで、医用画像撮影装置１００が、ＨＩＳ／ＲＩＳ１１０に通知する検査終了通知の情報には、検査の会計処理に利用される撮影枚数等の情報が含まれる。そのため、例えば技師１２０のミスによって検査終了指示をしないで放置された場合は、医用画像撮影装置１００は、ＨＩＳ／ＲＩＳ１１０に検査終了通知を行わない。したがって、検査後の会計処理等のワークフローに支障をきたす問題がある。このような、検査終了指示を忘れることによる問題の対応策として、医用画像撮影装置に検査を終了するための終了条件を事前に保存しておくという技術が開示されている（例えば、特許文献１参照）。このような医用画像撮影装置によれば、終了条件を満たしたタイミングで自動的に実施中の検査を終了し、ＨＩＳ／ＲＩＳ１１０に検査終了通知を行う。
【０００７】
また、医用画像撮影装置は、ＨＩＳ／ＲＩＳとは別にネットワークを介した撮影フローとして画像保存表示装置との間で通信ができる。医用画像撮影装置上で撮影された画像は、医用画像撮影装置内部のみでは容量が足りないために、医用画像撮影装置は、画像保存専用サーバとしての画像保存表示装置に画像データを転送し、保存する。このとき、医用画像撮影装置は、自ら保持している画像データを画像保存表示装置に保存要求を行い、画像保存表示装置は、保存したタイミングでレスポンスを返す。このような処理により、確実に画像データを保存することができる。なお、ＤＩＣＯＭでは、この保存要求をStorage  Commitmentとして規定している。医用画像撮影装置では、画像保存表示装置からレスポンスを受信することで、保持していた画像データを破棄することができる。また、画像保存表示装置は、医用画像撮影装置が具備するモニタよりも高精細なモニタを備えているため、技師は、画像データを画像ビューワを使用して表示することで、より精度の高い検像を行うことができる。なお、医用画像撮影装置から画像保存表示装置への画像保存要求の送信タイミングは、上述した検査終了通知と同様、技師が医用画像撮影装置上のＧＵＩで検査開始ボタンや終了ボタンを押すタイミングである。
【先行技術文献】
【特許文献】
【０００８】
【特許文献１】特開２００７−２１５６８５号公報
【発明の概要】
【発明が解決しようとする課題】
【０００９】
しかしながら、上述したようなＨＩＳ／ＲＩＳを用いて通信を行った場合の検査実施においては、医用画像撮影装置がＨＩＳ／ＲＩＳに一度、検査終了通知を行った検査に対しては、その後の検査追加が不可能であるという問題がある。ここで、医用画像撮影装置とＨＩＳ／ＲＩＳとの間で行われる検査実施の通信の概略において、検査追加が不可能であることを図２３を参照して説明する。
図２３のステップＳ１０に示すように、医用画像撮影装置１００が技師１２０による検査終了指示に応じて検査終了通知を作成した場合であっても、医用画像撮影装置１００がＨＩＳ／ＲＩＳ１１０に検査終了通知を行う前であれば、撮影検査追加指示が可能である。一方、ステップＳ２０に示すように、医用画像撮影装置１００がＨＩＳ／ＲＩＳ１１０に検査終了通知を行った後、検査追加の必要性が生じた場合は、撮影追加指示が不可能である。したがって、再度検査を行う場合は、再び検査要求情報を作成したり、検査要求情報通知を受信したりして、検査をやり直す必要があった。この場合、検査を二度繰り返す必要があるため、患者の負担が増加する問題がある。
また、ＤＩＣＯＭ規格に準拠した医用画像撮影装置の場合は、本来緊急で搬送された氏名不詳患者用に用意されているUNSCHEDULED  PROCEDURE  STEPを利用して、追加分の検査を行い、後で検査情報を統合させるという方法がある。この場合、医用画像撮影装置がＤＩＣＯＭに準拠していくことが必須であり、かつ検査情報を統合する際のデータの整合性についてリスクが高くなるという問題がある。
【００１０】
一方、上述したように、検査終了通知に含まれる撮影枚数等の情報は、検査後の会計処理に用いられる。したがって、例えば一般外来の患者に対する検査のように、検査終了から会計処理を行うまでの時間が短い検査では、検査終了後からできる限り早く検査終了通知を送信することが要求される。逆に、例えば集団検診の場合等は、複数の患者に対して検査を行い、後日まとめて会計処理を行うケースが多いため、早く検査終了通知を送信する必要はないと考えられる。つまり、臨床の場では検査の種別によって検査終了通知の送信が要求されるタイミングが異なる。
【００１１】
また、検査は実施する撮影内容によって煩雑性が大きく変化する。検査の煩雑性は、技師のミスや判断に迷いを生じさせる最も大きな要因である。こういった要因に対して、従来の検査終了ボタンの押下や次検査の開始により検査終了通知を行う方法では、会計処理が要求されたときに検査終了通知が送られていなかったり、検査追加したい検査について、すでに検査終了通知が送信されたりする。また、検査の煩雑性に係らず全ての検査で、検査終了通知が同一のタイミングで送信されるために、検査追加の必要性が高い煩雑性がある検査に対して、技師へのフォローが実現されていなかったという問題がある。
【００１２】
本発明は、上述したような問題点に鑑みてなされたものであって、検査終了が指示された検査に対して、容易に検査追加を行うことができるようにすることを目的とする。
【課題を解決するための手段】
【００１３】
本発明は、病院内情報システムと通信可能な医用画像撮影装置であって、操作者による検査に基づいた撮影指示に応じて撮影し画像データを取得する画像データ取得手段と、前記画像データ取得手段により画像データを取得するときに撮影した内容を示す検査終了情報を作成する検査終了情報作成手段と、検査が終了してから前記病院内情報システムに前記検査終了情報作成手段により作成された検査終了情報を送信するまでの送信保留時間を検査情報に基づいて、決定する送信保留時間決定手段と、前記検査が終了してから前記送信保留時間決定手段により決定された送信保留時間が経過した後、前記検査終了情報作成手段により作成された検査終了情報を前記病院内情報システムに送信する検査終了情報送信手段と、前記送信保留時間決定手段により決定された送信保留時間が経過するまでに操作者による撮影追加指示が行われたか否かを判定する撮影追加指示判定手段と、を有し、前記撮影追加指示判定手段により操作者による撮影追加指示が行われたと判定された場合、前記検査終了情報作成手段は、前記撮影追加指示に応じて追加して撮影した内容を含む検査終了情報を作成し、前記検査終了情報送信手段は、前記追加して撮影した内容を含む検査終了情報を送信することを特徴とする。
また、本発明は、病院内情報システムと通信可能な医用画像撮影装置における情報処理方法であって、前記医用画像撮影装置が、操作者による検査に基づいた撮影指示に応じて撮影し画像データを取得する画像データ取得ステップと、前記画像データ取得ステップにより画像データを取得するときに撮影した内容を示す検査終了情報を作成する検査終了情報作成ステップと、検査が終了してから前記病院内情報システムに前記検査終了情報作成ステップにより作成された検査終了情報を送信するまでの送信保留時間を検査情報に基づいて、決定する送信保留時間決定ステップと、前記検査が終了してから前記送信保留時間決定ステップにより決定された送信保留時間が経過した後、前記検査終了情報作成ステップにより作成された検査終了情報を前記病院内情報システムに送信する検査終了情報送信ステップと、前記送信保留時間決定ステップにより決定された送信保留時間が経過するまでに操作者による撮影追加指示が行われたか否かを判定する撮影追加指示判定ステップと、を含み、前記撮影追加指示判定ステップにより操作者による撮影追加指示が行われたと判定された場合、前記検査終了情報作成ステップでは、前記撮影追加指示に応じて追加して撮影した内容を含む検査終了情報を作成し、前記検査終了情報送信ステップでは、前記追加して撮影した内容を含む検査終了情報を送信することを特徴とする。
また、本発明は、病院内情報システムと通信可能なコンピュータに、操作者による検査に基づいた撮影指示に応じて撮影し画像データを取得する画像データ取得ステップと、前記画像データ取得ステップにより画像データを取得するときに撮影した内容を示す検査終了情報を作成する検査終了情報作成ステップと、検査が終了してから前記病院内情報システムに前記検査終了情報作成ステップにより作成された検査終了情報を送信するまでの送信保留時間を検査情報に基づいて、決定する送信保留時間決定ステップと、前記検査が終了してから前記送信保留時間決定ステップにより決定された送信保留時間が経過した後、前記検査終了情報作成ステップにより作成された検査終了情報を前記病院内情報システムに送信する検査終了情報送信ステップと、前記送信保留時間決定ステップにより決定された送信保留時間が経過するまでに操作者による撮影追加指示が行われたか否かを判定する撮影追加指示判定ステップと、前記撮影追加指示判定ステップにより操作者による撮影追加指示が行われたと判定された場合、前記撮影追加指示に応じて追加して撮影した内容を含む検査終了情報を作成するステップと、前記追加して撮影した内容を含む検査終了情報を送信するステップとを実行するためのプログラムである。
【発明の効果】
【００１４】
本発明によれば、検査終了が指示された検査に対して、容易に検査追加を行うことができる。
【図面の簡単な説明】
【００１５】
【図１】医用画像撮影装置とネットワークを介して通信を行う病院内情報システムの構成の一例を示す図である。
【図２】医用画像撮影装置のハードウェア構成の一例を示す図である。
【図３】第１の実施形態に係る医用画像撮影装置の機能構成の一例を示す図である。
【図４】第１の実施形態に係る医用画像撮影装置の動作処理の一例を示すフローチャートである。
【図５】送信保留時間決定の動作処理の一例を示すフローチャートである。
【図６】指標得点合計値と送信保留時間との対応表の一例を示す図である。
【図７】過去検査リストの過去検査表示画面の一例を示す図である。
【図８】撮影追加指示が行われたときの動作処理の一例を示すフローチャートである。
【図９】指標得点設定画面の初期状態の一例を示す図である。
【図１０】指標得点設定時の指標に用いる項目の追加、削除及び使用可否を設定する画面の一例を示す図である。
【図１１】得点・重み係数設定する得点・重み係数設定画面の一例を示す図である。
【図１２】第２の実施形態に係る医用画像撮影装置の内部構成の一例を示す図である。
【図１３】第２の実施形態に係る医用画像撮影装置の動作処理の一例を示すフローチャートである。
【図１４】第３の実施形態に係る医用画像撮影装置の内部構成の一例を示す図である。
【図１５】第３の実施形態に係る医用画像撮影装置の動作処理の一例を示すフローチャートである。
【図１６】第４の実施形態に係る医用画像撮影装置の内部構成の一例を示す図である。
【図１７】第４の実施形態に係る医用画像撮影装置の動作処理の一例を示すフローチャートである。
【図１８】第５の実施形態に係る医用画像撮影装置の内部構成の一例を示す図である。
【図１９】第５の実施形態に係る医用画像撮影装置の動作処理の一例を示すフローチャートである。
【図２０】第６の実施形態に係る医用画像撮影装置の内部構成の一例を示す図である。
【図２１】第６の実施形態に係る医用画像撮影装置の動作処理の一例を示すフローチャートである。
【図２２】医用画像撮影装置とＨＩＳ／ＲＩＳとのシーケンス図である。
【図２３】医用画像撮影装置とＨＩＳ／ＲＩＳとのシーケンス図である。
【発明を実施するための形態】
【００１６】
以下、本発明に係る実施形態について図面を参照して説明する。
（第１の実施形態）
まず、第１の実施形態に係る医用画像撮影装置の構成及び動作について説明する。
図１は、医用画像撮影装置とネットワークを介して通信可能に構成されている病院内情報システムの一例を示す図である。図１に示すように、医用画像撮影装置３０３、３０４、３０５は、ネットワーク（イーサネット（登録商標）、ＬＡＮ等の各種ネットワークを含む）を介して、病院内情報システムとしてのＨＩＳ３０１、ＲＩＳ３０２及び画像保存表示装置３０６と接続されている。このネットワークを用いて患者情報、検査要求情報、検査実施情報、検査終了情報、画像データ及び画像保存要求等の送受信が行われる。このとき、医用画像撮影装置３０３、３０４、３０５は、一種類であっても、複数の種類の医用画像撮影装置であってもよい。また、接続される医用画像撮影装置の台数も図１に示す３台に限定されず、１台以上の台数が接続されていてもよい。なお、以下では、医用画像撮影装置３０３を取り上げて説明する。
【００１７】
医用画像撮影装置３０３は、Ｘ線撮影装置やＸ線ＣＴ装置、ＭＲＩに代表される磁気共鳴画像撮影装置、ＰＥＴやＳＰＥＣＴに代表される核医学撮影装置、超音波撮影装置等であり、医療用途の画像撮影装置を全て含む。なお、本実施形態及び以下で説明する他の実施形態では、医用画像撮影装置の一例としてＸ線撮影装置を用いて説明する。また、図１では簡略化のため医用画像撮影装置３０３に接続されるＨＩＳ３０１、ＲＩＳ３０２、画像保存表示装置３０６は１台であるが、この場合に限られない。例えば、医用画像撮影装置３０３の１台について、複数台のＨＩＳ３０１、ＲＩＳ３０２、画像保存表示装置３０６が接続されていてもよい。
【００１８】
次に、本実施形態で用いられる患者情報、検査要求情報、検査実施情報及び検査終了情報について説明する。なお、本実施形態では、これら４種類の情報をまとめて検査情報という場合もある。
患者情報とは、医用画像撮影装置３０３が実施する検査の被験者となる患者の個人情報である。患者情報には被験者を特定するためのユニークなＩＤである患者ＩＤ、患者氏名、性別、生年月日、年齢の情報が含まれる。患者情報の入力及び保存は、主にＨＩＳ３０１の端末上で行われる。ただし、ＲＩＳ３０２及び医用画像撮影装置３０３であっても患者情報の入力及び保存を行うことができる。なお、患者情報をネットワークに接続したサーバ等の情報記憶装置に保存することで、各装置で入力された患者情報の整合性を確保して共有することが可能である。
【００１９】
検査要求情報とは、医用画像撮影装置３０３が実施する検査について、いつ、どの医用画像撮影装置で、誰が、どのような撮影を行うのかといった具体的な検査の実施要求を示した情報である。検査要求情報には、主に検査をユニークに特定する検査ＩＤ、検査実施予定日時、検査実施予定装置及び検査で実施する具体的な撮影手技の情報が含まれる。また、検査を実施する技師（以下、操作者という）の氏名、検査を依頼した部門及び医師名及び上述した患者情報も含まれる。なお、ＨＩＳ３０１、ＲＩＳ３０２、医用画像撮影装置３０３がＤＩＣＯＭ規格に準拠している場合、この検査要求情報には、ＤＩＣＯＭ規格のMODALITY  WORK  LIST  SOPクラス（以下、ＭＷＬという）で規定されているタグ情報が含まれる。検査要求情報の入力及び保存は、主にＨＩＳ３０１において行われる。ただし、ＲＩＳ３０２、医用画像撮影装置３０３であっても検査要求情報の入力及び保存を行うことができる。この場合、何れかのタイミングでＨＩＳ３０１に検査要求情報が通知される。なお、検査要求情報をネットワークに接続したサーバ等の情報記憶装置に保存することで、各装置で検査要求情報を共有することが可能である。
【００２０】
検査実施情報とは、終了した検査で行われた具体的な撮影に関する情報である。検査実施情報には、実施した撮影手技、撮影枚数、検査実施にかかった所要時間、検査中の撮影追加の有無、検査を実施した操作者の氏名及び検査中に患者が受けた照射線量の合計値の情報等が含まれる。ここで、実施した撮影手技の情報には、撮影手技名及び各撮影手技における撮影部位（左右含む）、撮影方向、患者の姿勢体位、各撮影手技の静止画撮影、動画及び血管造影等の撮影方法の情報が含まれる。検査実施情報は、医用画像撮影装置３０３のみが作成、利用する情報である。
【００２１】
検査終了情報とは、操作者が医用画像撮影装置３０３で選択した検査要求情報に対して、実際に実施した内容を示す情報である。検査終了情報には、主に検査をユニークに特定する検査ＩＤ、検査実施日時、検査を実施した医用画像撮影装置及び検査を実施した操作者の氏名等の情報が含まれる。検査終了情報には、上述した患者情報や検査実施情報も含まれる。なお、ＨＩＳ３０１、ＲＩＳ３０２、医用画像撮影装置３０３がＤＩＣＯＭ規格に準拠している場合、この検査終了情報には、ＤＩＣＯＭ規格のMODALITY  PERFORMED  PROCEDURE  STEP  SOPクラス（以下、ＰＰＳという）において規定されているタグ情報が含まれる。検査終了情報は、医用画像撮影装置３０３が検査を終了した時点で作成する。その後、医用画像撮影装置３０３は、検査毎に設定されたタイミングで検査終了情報をＲＩＳ３０２に送信する。その後、ＲＩＳ３０２は、検査終了情報をＨＩＳ３０１に送信し、会計処理といった検査終了後のワークフローで利用される。
【００２２】
次に、図１で示される各装置について説明する。
ＨＩＳ３０１は、ネットワークを介してＲＩＳ３０２と情報通信を行う。ＨＩＳ３０１は、病院内情報システムの一つであり、患者情報の登録や検査要求情報の作成を行い、作成した患者情報及び検査要求情報をＲＩＳ３０２に送信する。また、ＨＩＳ３０１は、ＲＩＳ３０２を介して、各医用画像撮影装置３０３から検査開始通知及び検査終了通知を受信する。ＨＩＳ３０１は、検査終了通知を受信すると、検査終了通知に付加された検査終了情報を用いて会計処理等の病院内情報処理を行う。
【００２３】
ＲＩＳ３０２は、病院内の放射線科についての病院内情報システムの一つであり、ＨＩＳ３０１と医用画像撮影装置３０３とネットワークを介して接続されている。ＲＩＳ３０２は、ＨＩＳ３０１から通知された検査要求情報を受信し、受信した検査要求情報を医用画像撮影装置３０３に送信する。また、ＲＩＳ３０２は、医用画像撮影装置３０３から検査開始通知及び検査終了通知を受信し、受信した検査開始通知及び検査終了通知をＨＩＳ３０１に送信する。
【００２４】
医用画像撮影装置３０３は、ＲＩＳ３０２及び画像保存表示装置３０６とネットワークを介して接続されている。医用画像撮影装置３０３は、ＲＩＳ３０２から検査要求情報を受信し、受信した検査要求情報を内部に保存する。検査実施を行う場合、医用画像撮影装置３０３は、医用画像撮影装置３０３が具備するモニタにユーザーインターフェース（以下、ＧＵＩという）を用いて受信した検査要求情報を表示し、操作者が選択した検査を実施する。また、医用画像撮影装置３０３は、検査開始通知及び検査終了通知をＲＩＳ３０２に送信する。
また、医用画像撮影装置３０３は、検査により撮影して取得した医用画像データ（以下、画像データという）を適宜、画像保存表示装置３０６に送信する。また、医用画像撮影装置３０３は、画像データの他に画像保存要求を画像保存表示装置３０６に送信する。ここで、画像保存要求とは、検査終了時時点で医用画像撮影装置３０３が内部に保存している画像データの保存を画像保存表示装置３０６に対して要求する通知情報である。
【００２５】
画像保存表示装置３０６は、医用画像撮影装置３０３から送信される画像データを受信し、内部に保存する画像サーバである。画像保存表示装置３０６は、画像保存要求を受信すると同様に受信した画像データを内部に保存したり、場合によっては外部記録媒体に保存したりする。画像保存表示装置３０６は、保存処理を終了すると医用画像撮影装置３０３にレスポンスを送信する。また、画像保存表示装置３０６は、医用画像撮影装置３０３から送信される画像データを受信して表示する画像表示用の医用画像ビューワとして機能する。
なお、医用画像撮影装置３０３では、画像保存表示装置３０６からレスポンスを受信すると画像データを別の記録媒体に保存が完了したことを確認できるために、内部に保存している画像データの管理を自由に行うことができる。
【００２６】
次に、本実施形態に係る医用画像撮影装置のハードウェア構成の一例について図２を参照して説明する。図２に示すように医用画像撮影装置３０３は、情報処理部１０、表示部１１、入力部１２、センサ部１３、エックス線発生部１４を含んで構成されている。また、情報処理部１０は、ＲＡＭ１５、ＲＯＭ１６、ＬＡＮ／ＩＦ１７、ＣＰＵ１８、ハードディスク等の内部記憶装置１９が、システムバス２０によって互いに接続されて構成されている。このように情報処理部１０は、一般的なコンピュータ構成を備えている。また、表示部１１は、液晶ディスプレイ等の一般的なモニタによって構成されている。表示部１１には、画像データやＧＵＩ（グラフィカルユーザインタフェース）等が画面に表示される。また、入力部１２は、マウス、キーボード、バーコード等の入力装置によって構成されている。操作者は、入力部１２を用いて、情報処理部１０に対して各種コマンドやデータを入力することができる。エックス線発生部１４は、エックス線を患者に対して照射する。センサ部１３は、患者を透過したエックス線を受光して画像化する。
【００２７】
次に、本実施形態に係る医用画像撮影装置の機能構成の一例について図３を参照して説明する。図３は、医用画像撮影装置の機能構成の一例を示す図である。図３に示す医用画像撮影装置の機能構成は、ＣＰＵ１８がＲＯＭ１６や内部記憶装置１９に格納したプログラムを実行することにより実現する。なお、図３では、図１に示したＨＩＳ３０１、ＲＩＳ３０２、画像保存表示装置３０６をまとめて病院内情報システム３００としている。
受信部４０１は、病院内情報システム３００と通信を行い、特に検査要求情報を受信する。
撮影実施部４０４は、受信部４０１が受信した検査要求情報を保存及びリスト表示を行い、操作者の指示に応じて、撮影を実施する。また、撮影実施部４０４は、検査開始に伴い検査要求情報を検査管理部４０７に送信し、検査終了に伴い検査実施情報及び取得した画像データを検査管理部４０７に送信する。
【００２８】
検査管理部４０７は、操作者による入力部１２を介した操作に応じて、医用画像撮影装置３０３の表示部１１に表示するＧＵＩを制御する。検査管理部４０７は、医用画像撮影装置３０３内で保持している全ての検査情報について、検査の状態を管理したり、病院内情報システム３００に検査終了通知に付加する検査終了情報の作成を行ったりする。
【００２９】
送信部４１１は、病院内情報システム３００と通信を行い、検査終了通知を送信したり、画像データを送信したりする。
送信保留時間決定部４０５は、検査要求情報、患者情報、検査実施情報、操作者撮影追加回数情報及び患者撮影追加回数情報を受信して、指標保存部４０３を参照して指標得点を算出し、検査毎に送信保留時間を決定する。
送信保留時間カウント部４０８は、送信保留時間決定部４０５からカウント開始指示を受信し、カウントを開始する。送信保留時間カウント部４０８は、送信保留時間をカウントした後に検査管理部４０７にカウント終了通知を送信する。
【００３０】
ユーザ撮影追加回数カウント部４０９は、内部保存しているユーザ情報を用いて、検査管理部４０７から撮影追加通知を受信する度に、操作者毎の撮影追加回数をカウントする。
患者撮影追加回数カウント部４１０は、内部保存している患者情報を用いて、検査管理部４０７から撮影追加通知を受信する度に、患者毎の撮影追加回数をカウントする。
【００３１】
指標保存部４０３には、検査要求情報、患者情報、検査実施情報、ユーザ撮影追加回数情報及び患者撮影追加回数情報に含まれる各項目及びそれらに設定されている指標得点及び各項目に対する重み係数が記憶されている。指標保存部４０３は、内部記憶装置１９及びそれを制御するプログラムから構成される。なお、本実施形態では、医用画像撮影装置３０３内に指標保存部４０３を構成しているが、この場合に限られず、例えばＵＳＢ等の接続インターフェースを用いて医用画像撮影装置３０３に外部から直接に接続されていてもよい。また、指標保存部４０３を情報記憶サーバで構成し、複数の医用画像撮影装置３０３にネットワークを介して接続して構成してもよい。このように指標保存部４０３をネットワークにより複数の医用画像撮影装置３０３で共有することで、各医用画像撮影装置３０３において指標得点を設定する必要がなく、指標得点の管理が容易になり、指標得点の整合性を取ることができる。
【００３２】
指標得点設定部４０２は、指標保存部４０３に記憶されている各項目に対して指標として用いるか否か、また用いる場合の項目毎の得点及び重み係数の値の変更を行う。
終了指示取り消し部４０６は、検査が終了して送信保留になっている状態の検査を再度実施中の状態に遷移させる。
【００３３】
次に、本実施形態に係る医用画像撮影装置の動作処理について図４に示すフローチャートを参照して説明する。図４は、検査要求情報を受信してから検査終了通知を送信するまでの動作処理の一例を示すフローチャートである。この処理は、医用画像撮影装置３０３のＣＰＵ１８がＲＯＭ１６等に格納されたプログラムを実行することにより実現する。
まず、ステップＳ７０１では、送信部４１１は、病院内情報システム３００に対してネットワークを介して検査要求情報を送信するように要求を行う。この要求を行うタイミングは、主に操作者が医用画像撮影装置３０３の表示部１１のＧＵＩで表示された検査要求情報取得指示ボタンを押下したときである。ただし、この他にも送信部４１１は、一定時間毎に自動で要求を行ったり、操作者の検査要求情報をリスト表示する指示のタイミングで要求を行ったりしてもよく、そのタイミングは一つに限定されない。
【００３４】
なお、検査要求情報の送信を要求するとき、検査要求情報に含まれる項目に対してそれぞれ取得条件を設定することが可能である。すなわち、送信部４１１が、取得条件を一つでも入力した状態で病院内情報システム３００に要求を行なう。この場合、病院内情報システム３００は、保持している検査要求情報のうち、まだ開始されていない検査要求情報であって、取得条件と一致する検査要求情報を取り出し、医用画像撮影装置３０３に返信する。なお、取得条件が設定されていない場合、病院内情報システム３００は、現在保持している検査要求情報のうち、まだ開始されていない検査要求情報を全て送信する。医用画像撮影装置３０３の受信部４０１は、送信された検査要求情報を受信する。続いて、受信部４０１は、取得した検査要求情報を撮影実施部４０４に送信する。撮影実施部４０４は、受信した検査要求情報をリスト化して表示部１１にＧＵＩで表示し、同時に内部記憶装置１９に検査要求情報を保存する。
【００３５】
ステップＳ７０２では、操作者はリスト表示された検査要求情報から実施する検査要求情報を選択する。撮影実施部４０４は、操作者により選択された検査要求情報を詳細な情報に切り替えて表示する。
ステップＳ７０３では、操作者は表示部１１にＧＵＩで表示された検査開始ボタンを押下する。
ステップＳ７０４では、撮影実施部４０４は、操作者による検査開始の指示に応じて、選択された検査要求情報に基づき、検査を開始する。このとき、撮影実施部４０４は、検査管理部４０７を介して送信部４１１に病院内情報システム３００に対して検査開始通知を行うよう指示をする。送信部４１１は、病院内情報システム３００に検査開始通知を送信する。その後、撮影実施部４０４は、操作者による撮影指示に応じて繰り返し画像の撮影を行い、画像データを取得する。この処理は、画像データ取得手段による処理の一例に対応する。
【００３６】
ステップＳ７０５では、撮影実施部４０４は、操作者が検査終了指示をした否かを判定する。操作者は、検査に必要な撮影と後処理を全て終了すると表示部１１のＧＵＩで表示された検査終了ボタンを押下する。操作者による検査終了指示を受けた場合、撮影実施部４０４は、ステップＳ７０６に処理を進め、検査終了指示を受けない場合、ステップＳ７０４に処理を戻す。
【００３７】
ステップＳ７０６では、撮影実施部４０４は、実施している検査を終了し、検査実施結果から検査実施情報を作成する。その後、撮影実施部４０４は、検査要求情報、作成した検査実施情報及び取得した画像データを検査管理部４０７に送信する。検査管理部４０７は、検査要求情報、検査実施情報及び画像データを受信し、検査の状態を実施中状態から送信保留状態に遷移させる。また、検査管理部４０７は、検査要求情報、検査実施情報及び検査要求情報に含まれる患者情報を用いて、病院内情報システム３００に送信する検査終了通知に付加する検査終了情報を作成する。この処理は、検査終了情報作成手段による処理の一例に対応する。
【００３８】
ステップＳ７０７では、検査管理部４０７は、表示部１１にＧＵＩで表示する過去検査情報リストに作成した検査終了情報の一部を追加して表示する。なお、送信保留状態の検査を過去検査情報リストに表示したＧＵＩの一例については、図７を参照して後述する。
ステップＳ７０８では、検査管理部４０７は、検査要求情報及び検査実施情報を送信保留時間決定部４０５に送信する。また、検査管理部４０７は、ユーザ撮影追加回数カウント部４０９及び患者撮影追加回数カウント部４１０に対して撮影追加回数の送信指示をする。ユーザ撮影追加回数カウント部４０９及び患者撮影追加回数カウント部４１０は、撮影追加回数送信指示を受信すると、それぞれが保持している撮影追加回数情報を送信保留時間決定部４０５に送信する。送信保留時間決定部４０５は、検査要求情報、検査実施情報、ユーザ撮影追加回数情報及び患者撮影追加回数情報を受信する。そして、送信保留時間決定部４０５は、後述する送信保留時間決定方法を用いて送信保留時間を決定する。この処理は、送信保留時間決定手段の処理の一例に対応する。
【００３９】
ステップＳ７０９では、送信保留時間決定部４０５は、カウント開始指示を送信保留時間カウント部４０８に送信する。送信保留時間カウント部４０８は、カウント開始指示を受信すると同時にカウントを開始する。送信保留時間カウント部４０８が、カウントを完了した場合、検査管理部４０７にカウント完了通知を送信する。
ステップＳ７１０では、撮影実施部４０４は、送信保留時間カウント部４０８が送信保留時間のカウントをしている間、すなわち検査管理部４０７が送信保留時間のカウントが完了通知を受信する前に、操作者による撮影追加指示が行われたか否かを判定する。この処理は、撮影追加指示判定手段による処理の一例に対応する。操作者による撮影追加指示がない場合、撮影実施部４０４は、ステップＳ７１１に処理を進める。
【００４０】
ステップＳ７１１では、送信保留時間カウント部４０８は、検査管理部４０７にカウント完了通知を送信する。
ステップＳ７１２では、検査管理部４０７は、検査の状態を送信保留状態から終了状態に遷移させる。ここで、終了状態にした検査については、検査管理部４０７が検査終了通知、検査終了情報及び画像データの送信指示を送信部４１１に送信する。送信部４１１は、検査終了情報を付加した検査終了通知及び画像データを、それぞれ対応した病院内情報システム３００に送信する。この処理は、検査終了情報送信手段による処理の一例に対応する。
また、検査管理部４０７は、表示部１１のＧＵＩで表示されている過去検査情報リストを更新する。すなわち、検査管理部４０７は、過去検査リストにおいて終了状態となった検査の「検査終了情報通知済」欄の表示を「済」に変更する。なお、過去検査リストを更新するＧＵＩの一例については、図７で後述する。
また、病院内情報システム３００では、検査終了情報を付加した検査終了通知及び画像データを受信する。すなわち、画像保存表示装置３０６は、受信した画像データを保存する。また、ＲＩＳ３０２は、検査終了情報をデータベース等で管理する。
【００４１】
一方、ステップＳ７１０において、撮影実施部４０４が、操作者による撮影追加指示を判定すると、後述する撮影追加の処理を行い、ステップＳ７０３に処理を戻す。なお、再開された後の検査の流れは、上述したステップＳ７０３からステップＳ７０９までの処理と同様である。
【００４２】
すなわち、撮影追加指示による検査再開された後、ステップＳ７０６まで処理が進められた場合、検査管理部４０７は、撮影追加指示により追加された撮影を含めた検査実施情報等を用いて、検査終了情報を更新して作成する。なお、検査管理部４０７は、撮影追加指示により追加された撮影を含めた検査実施情報等を用いて、新たに検査終了情報を作成してもよい。
その後、ステップＳ７０８では、送信保留時間決定部４０５は、撮影追加指示により追加された撮影を含めた検査実施情報等に基づいて、送信保留時間を決定する。
更に、その後、ステップＳ７１２では、新たに決定された送信保留時間が経過すると、送信部４１１は、更新した検査終了情報を付加して検査終了通知及び画像データを病院内情報システム３００に送信する。なお、撮影追加指示により追加された撮影により新たに検査終了情報を作成した場合は、送信部４１１は、撮影追加前に作成した検査終了情報と撮影追加後に作成した検査終了情報とを送信する。
【００４３】
なお、撮影追加指示による検査再開は、送信保留時間のカウントが完了するまでは何度で行うことができる。このように、本実施形態によれば、検査終了指示した検査であっても、送信保留時間内であれば検査を追加することができるので、新たな検査として再度検査したり、氏名不詳患者用として検査を統合させたりする必要がない。
【００４４】
次に、医用画像撮影装置の送信保留時間決定の動作処理について図５に示すフローチャートを参照して説明する。図５は、検査終了指示を受けてから送信保留時間を決定するまでの動作処理の一例を示すフローチャートである。この処理は、医用画像撮影装置３０３のＣＰＵ１８がＲＯＭ１６等に格納されたプログラムを実行することにより実現する。
まず、ステップＳ１００１では、撮影実施部４０４は、操作者が検査終了指示を判定する。なお、この処理は、図４に示すステップＳ７０５からステップＳ７０６に処理を進める処理に対応する。また、検査管理部４０７は、検査要求情報及び検査実施情報を送信保留時間決定部４０５に送信する。
【００４５】
ステップＳ１００２では、送信保留時間決定部４０５は、指標保存部４０３を参照し、検査情報に係らず全検査一律で送信保留時間が設定されているか否かを判定する。ここで、全検査一律で送信保留時間が設定されている場合、ステップＳ１０１３に処理を進める、全検査一律で送信保留時間が設定されていない場合、ステップＳ１００３に処理を進める。
ステップＳ１００３では、送信保留時間決定部４０５は、まず検査管理部４０７から送信された情報のうち検査要求情報を取得する。
ステップＳ１００４では、送信保留時間決定部４０５は、指標保存部４０３を参照して、検査要求情報を指標得点として用いるか否かを判定する。ここで、検査要求情報を指標得点として用いない設定になっている場合、ステップＳ１００６に処理を進め、検査要求情報を指標得点として用いる設定になっている場合、ステップＳ１００５に処理を進める。
【００４６】
ステップＳ１００５では、送信保留時間決定部４０５は、取得した検査要求情報と指標保存部４０３とに基づいて検査要求情報指標得点を算出する。より具体的に説明すると、送信保留時間決定部４０５は、検査要求情報に含まれる各項目について、指標として使用するか否かの設定を確認する。ここで、使用しない設定の場合、送信保留時間決定部４０５は、その項目の指標得点Ｘを０にした上で、重み係数Ａを取得する。一方、使用する設定の場合、送信保留時間決定部４０５は、その項目に設定されている指標得点Ｘ及び重み係数Ａを取得する。そして、送信保留時間決定部４０５は、何れの場合においても項目毎に指標得点と重み係数との積ＡＸを計算する。
送信保留時間決定部４０５は、検査要求情報に含まれる全項目（個数をIと仮定）について計算を行い、検査要求情報の全項目で計算した値の合計値ＳSCHEDULEDを計算する。
【００４７】
ステップＳ１００６では、送信保留時間決定部４０５は、検査管理部４０７から送信された情報のうち検査実施情報を取得する。
ステップＳ１００７では、送信保留時間決定部４０５は、指標保存部４０３を参照し、検査実施情報を指標得点として用いるか否かを判定する。ここで、検査実施情報を指標得点として用いない設定になっている場合、ステップＳ１００９に処理を進め、検査実施情報を指標得点として用いる設定になっている場合、ステップＳ１００８に処理を進める。
ステップＳ１００８では、送信保留時間決定部４０５は、取得した検査実施情報と指標保存部４０３とに基づいて検査実施情報指標得点を算出する。この処理の具体的な説明は、ステップＳ１００５と同様であり、省略する。送信保留時間決定部４０５は、検査実施情報の全項目で計算した値の合計値ＳPERFORMEDを計算する。
【００４８】
ステップＳ１００９では、送信保留時間決定部４０５は、ユーザ撮影追加回数カウント部４０９からユーザ撮影追加回数情報を取得し、患者撮影追加回数カウント部４１０から患者撮影追加回数情報を取得する。
ステップＳ１０１０では、送信保留時間決定部４０５は、指標保存部４０３を参照し、ユーザ撮影追加回数又は患者撮影追加回数を指標得点として用いるか否かを判定する。ここで、指標得点として用いない設定になっている場合、ステップＳ１０１２に処理を進め、指標得点として用いる設定になっている場合、ステップＳ１０１１に処理を進める。
ステップＳ１０１１では、送信保留時間決定部４０５は、取得したユーザ撮影追加回数及び患者撮影追加回数と指標保存部４０３とに基づいて撮影追加回数指標得点を算出する。この処理の具体的な説明は、ステップＳ１００５と同様であり、省略する。送信保留時間決定部４０５は、ユーザ撮影追加回数及び患者撮影追加回数の全項目で計算した値の合計値ＳADDEXPを計算する。
【００４９】
ステップＳ１０１２では、送信保留時間決定部４０５は、上述したステップで算出したＳSCHEDULED、ＳPERFORMED、ＳADDEXPを加算して指標得点合計値Ｓを算出する。このとき、使用しないと設定されていたため、算出をスキップした合計値については０を代入する。
ステップＳ１０１３では、送信保留時間決定部４０５は、指標保存部４０３に保存している指標得点合計と送信保留時間との対応表に基づいて、送信保留時間を決定する。
ステップＳ１０１４では、送信保留時間決定部４０５は、送信保留時間を決定すると、直ぐにカウント開始指示を送信保留時間カウント部４０８に通知する。
【００５０】
一方、ステップＳ１００２において、全検査一律で保留時間が設定されている場合は、ステップＳ１０１３において、送信保留時間決定部４０５は、その設定された保留時間を送信保留時間として決定する。したがって、操作者は送信保留時間の確認をする必要がなくなるため、例えばある検査に対して撮影追加が必要となった場合に、その検査の送信保留時間が分からないために、操作者が確認しなければならないといったワークフローの冗長がなくなるという利点がある。
【００５１】
ここで、指標得点合計値と送信保留時間との対応表の一例を図６に示す。図６に示す対応表１３０１の情報は、指標保存部４０３に記憶されている。対応表１３０１では、ある指標得点合計値の領域毎に対応した送信保留時間が登録されている。指標得点設定部４０２は、予め検査を行う前に、操作者による設定に応じて対応表１３０１の指標得点合計値の領域及び対応する送信保留時間を変更することができる。
【００５２】
このように、上述したような送信保留時間決定方法を用いることにより、検査要求情報、検査実施情報、撮影追加回数といった情報に基づいて送信保留時間を決定することで、検査に応じた送信保留時間を算出することができる。なお、患者情報は、検査要求情報に含まれていて、直接の指標として用いられるものではない。しかし、患者情報によって患者を特定することで、一般外来や入院中といった検査対象の患者の状態及び検査種別（例えば、集団検診、一般検査、トラウマ検査等）を特定することができる。このように、検査を様々な視点から総合的に判断することで、その検査の検査終了通知の送信を急ぐ必要があるのか否かという情報と検査の煩雑性とのバランスをとった送信保留時間の決定が可能となる。すなわち、例えば、患者情報に患者状態情報及び検査種別情報を含めるようにすることで、送信保留時間決定部４０５は、患者情報に含まれる患者状態情報及び検査種別情報を基にして送信保留時間を決定する。
【００５３】
次に、過去検査情報リストのＧＵＩについて、図７を参照して説明する。図７は、上述した図４に示すフローチャートのステップＳ７０７において、表示される過去検査リストの過去検査表示画面の一例を示す図である。
図７に示す過去検査表示画面１２０１には、過去検査情報リスト表示領域１２０２が表示される。この過去検査情報リスト表示領域１２０２には、送信保留状態の検査情報及び終了状態の検査情報が共に表示されている。過去検査情報リスト表示領域１２０２の最上行は、過去検査情報の各項目名を表示する情報項目名表示部１２０３である。情報項目名表示部１２０３には、検査終了情報に含まれる項目の全てが表示されている。ただし、操作者による設定変更に応じて、表示する項目は取捨選択できる。また、表示する項目名が多く、過去検査表示画面１２０１からはみ出してしまう場合は、例えば操作者がスクロールバーを操作することにより全表示項目を確認できるように構成してもよい。
【００５４】
また、情報項目名表示部１２０３の項目には、検査終了情報通知表示部１２０４が含まれている。検査終了情報通知表示部１２０４には、過去検査情報リスト表示領域１２０２に表示されている過去検査が送信保留状態であるか、終了状態であるかが表示される。図７に示す過去検査表示画面１２０１の一例では、検査終了情報通知表示部１２０４の表示内容として、送信保留状態を「未」とし、終了状態を「済」として表示している。しかしながら、操作者が検査状態を識別できるのであれば、表示内容はこの場合に限られない。
また、過去検査表示画面１２０１には、過去検査詳細表示部１２０５が表示される。この過去検査詳細表示部１２０５には、過去検査情報リスト表示領域１２０２上で選択された検査の検査終了情報の詳細一覧が表示される。
【００５５】
このように、操作者は過去検査情報リスト表示領域１２０２に表示される検査の内容から選択を行うことで、選択された検査の詳細な情報の一覧を過去検査詳細表示部１２０５で参照することができる。なお、この過去検査表示画面１２０１では、操作者は、検査のより詳細な情報（例えば、その検査で行った撮影で使用した画像処理パラメータ等）や取得した画像データを確認することができない。この場合、操作者は過去検査情報リスト表示領域１２０２でより詳細な情報を確認したい検査を選択し、「閲覧」ボタン１２０７を押下することにより、ＧＵＩが切り替わり、より詳細な情報や取得した画像データが表示される。
また、操作者は過去検査情報リスト表示領域１２０２に表示されている検査のうち、送信保留状態の検査に対して検査追加を行うことができる。この場合、操作者は過去検査情報リスト表示領域１２０２のうち撮影追加を所望する検査を選択し、「検査再開」ボタン１２０６を押下することにより、撮影追加指示が行うことができる。
【００５６】
次に、送信保留状態の検査に対して撮影追加指示が行われたときの医用画像撮影装置の動作処理について図８のフローチャートを参照して説明する。図８は、撮影追加指示が行われてから検査再開までの動作処理の一例を示すフローチャートである。この処理は、医用画像撮影装置３０３のＣＰＵ１８がＲＯＭ１６等に格納されたプログラムを実行することにより実現する。
まず、ステップＳ１１０１では、撮影実施部４０４は、上述したように操作者による「検査再開」ボタン１２０６の押下に応じて撮影追加指示が行われたと判定する。なお、この処理は、図４に示すフローチャートのステップＳ７１０からステップＳ７０３に処理を戻す処理に対応する。
【００５７】
ステップＳ１１０２では、検査管理部４０７は、検査終了指示取り消し要求を終了指示取り消し部４０６に送信する。終了指示取り消し部４０６は、検査終了指示取り消し要求を受信すると送信保留状態の検査を実施中状態に遷移させる。
ステップＳ１１０３では、検査管理部４０７は、カウントリセット要求を送信保留時間カウント部４０８に送信する。送信保留時間カウント部４０８は、カウントリセット要求を受信するとカウントを途中で終了し、リセットする。
【００５８】
ステップＳ１１０４では、検査管理部４０７は、カウント加算指示をユーザ撮影追加回数カウント部４０９及び患者撮影追加回数カウント部４１０に送信する。カウント加算指示に従って、ユーザ撮影追加回数カウント部４０９は、ユーザ撮影追加回数に１を加算する。
ステップＳ１１０５では、同様に、カウント加算指示に従って、患者撮影追加回数カウント部４１０は、患者撮影回数に１を加算する。
【００５９】
ステップＳ１１０６では、検査管理部４０７は、送信保留時間決定部４０５に対して撮影追加指示が行われたことを通知する。送信保留時間決定部４０５は、通知を受けると指標保存部４０３を参照し、撮影追加の有無を指標として使用するか否かの設定を判定する。ここで、撮影追加の有無を指標として使用すると設定されている場合、送信保留時間決定部４０５は、ステップＳ１１０７に処理を進める。撮影追加の有無を指標として使用しないと設定されている場合は、ステップＳ１１０８に処理を進める。
【００６０】
ステップＳ１１０７では、送信保留時間決定部４０５は、検査情報の撮影追加有無を有に設定する。
ステップＳ１１０８では、検査管理部４０７は、表示部１１のＧＵＩで表示している過去検査リストのうち検査再開された検査を過去検査リストから削除して、過去検査リストを更新する。
ステップＳ１１０９では、撮影実施部４０４は、検査の再開が行う。
このように、送信保留状態の検査に対する操作者による撮影追加指示に応じて、検査を再開することができる。
【００６１】
次に、送信保留時間決定に使用される指標保存部に保存されている指標得点を確認したり設定したりするためのＧＵＩの一例について図９、図１０及び図１１を参照して説明する。
図９は、指標得点設定画面の初期状態の一例を示す図である。操作者による指標得点設定指示に応じて、指標得点設定部４０２は、表示部１１に図９に示す指標得点設定画面９０１を表示する。ここで、指標得点設定において、操作者は「指標項目の確認」をしたり、「指標項目の追加、削除、変更」をしたり、「指標項目の得点・重み係数変更」したりすることができる。後述するように、操作者による送信保留時間決定に使用する指標設定の操作に応じて、指標得点設定部４０２は、送信保留時間決定に使用する指標を設定する。この処理は、指標設定手段による処理の一例に対応する。
指標得点設定画面９０１には、上述した処理に対応して、「指標項目の確認」ボタン９０２、「指標項目の追加、削除、変更」ボタン９０３、「指標項目の得点・重み係数変更」ボタン９０４が表示されている。操作者は、これらのボタンを押下することにより、指標得点設定部４０２は、対応する画面に遷移する。
【００６２】
図１０は、指標得点設定時の指標に用いる項目の追加、削除及び使用可否を設定する画面の一例を示す図である。図９に示す指標得点設定画面９０１で、操作者による「指標項目の追加、削除、変更」ボタン９０３の押下に応じて、指標得点設定部４０２は図１０に示す指標項目編集画面１００１を表示する。指標項目編集画面１００１は、指標項目追加部１００２及び指標項目編集部１００８の二つから構成される。
指標項目追加部１００２は、指標項目の新規追加を行うための領域である。指標項目の新規追加を行う場合、操作者は項目名称入力部１００３に指標項目の名称を入力し、情報種別選択部１００４に追加した項目をどの情報種別に含めるかの選択をする。また、操作者は、タグ値入力部１００５に指標項目を判別するためのタグ値を入力する。この時点で、操作者が、新規追加項目決定部１００７を押下することで、指標得点設定部４０２は、新規に指標項目を追加して、指標項目編集部１００８に追加する。なお、この段階では、新規に追加された指標項目は、実質的に中身が空の状態である。したがって、新規追加した指標項目に対して得点及び重み係数を設定する必要がある。
ここで、新規追加した指標項目に対して得点及び重み係数の設定をする場合、操作者は得点・重み係数設定部１００６を押下する。すると、指標得点設定部４０２は、得点・重み係数設定画面を表示する。なお、操作者が指標項目編集終了部１０１５を押下したときに、得点及び重み係数を設定していない指標項目があった場合、指標得点設定部４０２は、強制的に得点・重み係数設定画面を表示して、設定を促す。なお、得点・重み係数設定画面については、図１１を参照して後述する。
【００６３】
指標項目編集部１００８は、現在設定されている指標得点に対して削除、変更を行うための領域である。ここで、指標項目の変更とは、現在設定されている指標項目を削除することなく実際に指標項目として用いるか否かの設定を変更することである。指標項目編集部１００８には、検査要求情報設定部１００９、検査実施情報設定部１０１０、撮影追加回数設定部１０１１、指標項目表示部１０１２、指標項目選択部１０１３、指標項目削除指示部１０１４及び指標項目編集終了部１０１５が表示される。
検査要求情報設定部１００９、検査実施情報設定部１０１０及び撮影追加回数設定部１０１１は、それぞれの情報種別に対してまとめて指標項目として使用するか否かを設定するための領域である。操作者は、それぞれの情報種別名称の左側にあるチェックボックスにチェックすることで、指標得点設定部４０２は、その情報種別に含まれる全指標項目について使用するように設定する。ただし、情報種別に対してチェックされている場合であっても、操作者が各指標項目表示部１０１２の指標項目選択部１０１３のチェックボックスにチェックを付けたり外したりすることで、指標得点設定部４０２は、指標項目毎に使用するか否かを設定する。
一方、操作者が、それぞれの情報種別名称の左側にあるチェックボックスのチェックを外すことで、指標得点設定部４０２は、その情報種別に含まれる全指標項目に対して使用しないように設定する。なお、この場合、操作者は、各指標項目毎に使用するか否かの設定をすることができない。
【００６４】
また、指標項目削除指示部１０１４は、各指標項目表示部１０１２に対応して表示されている。操作者が、指標項目削除指示部１０１４を押下すると、指標得点設定部４０２は、対応する指標項目の指標保存部４０３への登録を削除すると共に、指標項目編集部１００８から表示を削除する。最後に、操作者が指標項目編集終了部１０１５を押下すると、指標得点設定部４０２は、指標項目編集画面１００１から指標得点設定画面９０１に表示を遷移させる。
【００６５】
図１１は、得点・重み係数を設定する得点・重み係数設定画面の一例を示す図である。図９に示す指標得点設定画面９０１で、操作者による「指標項目の確認」ボタン９０２又は「指標項目の得点・重み係数変更」ボタン９０４の押下に応じて、指標得点設定部４０２は、図１１に示す指標項目得点編集画面１１０１を表示する。指標項目得点編集画面１１０１は、指標項目検索部１１０２及び指標項目得点設定部１１０８の２つから構成される。
指標項目検索部１１０２は、現在設定されている指標項目に対して検索を行うための領域である。指標項目の検索を行う場合、操作者は、項目名称入力部１１０３、情報種別選択部１１０４及びタグ値入力部１１０５のうち何れかに入力し、検索実行指示部１１０６を押下する。すると、指標得点設定部４０２は、入力された検索条件を用いて、指標保存部４０３に保存されている指標項目の検索を実行する。なお、操作者が複数の検索条件を入力した場合、指標得点設定部４０２は、ＡＮＤ検索で検索を実行する。検索結果表示部１１０７には検索でヒットした指標項目が表示される。操作者が、検索結果表示部１１０７に表示された指標項目を選択することで、指標得点設定部４０２は、指標項目に設定されている得点及び指標項目を指標項目得点設定部１１０８に表示する。
【００６６】
指標項目得点設定部１１０８は、設定値表示・設定部１１０９、指標得点表示・設定部１１１０、重み係数設定・表示部１１１１、更新実行指示部１１１２、指標項目得点編集終了部１１１３から構成される。設定値表示・設定部１１０９、指標得点表示・設定部１１１０、重み係数設定・表示部１１１１には、それぞれ検索結果表示部１１０７で選択されている指標項目に設定されている設定値、得点、重み係数が表示される。ただし、図９に示す指標得点設定画面９０１において、操作者が「指標項目の確認」ボタン９０２を押下した場合、確認のみの表示がされる。すなわち、設定値表示・設定部１１０９、指標得点表示・設定部１１１０、重み係数設定・表示部１１１１には、設定されている値のみが表示され、操作者は、値の変更をすることができない。
【００６７】
一方、図９に示す指標得点設定画面９０１において、操作者が「指標項目の得点・重み係数変更」ボタン９０４を押下した場合、操作者は設定値表示・設定部１１０９で設定値の削除ができる。また、操作者は、指標得点表示・設定部１１１０及び重み係数設定・表示部１１１１で、設定値の変更ができる。操作者が、設定値表示・設定部１１０９、指標得点表示・設定部１１１０、重み係数設定・表示部１１１１で変更を行い、更新実行指示部１１１２を押下すると、指標得点設定部４０２は、その変更を指標保存部４０３に保存する。最後に、操作者が指標項目得点編集終了部１１１３を押下すると、指標得点設定部４０２は、指標項目得点編集画面１１０１から指標得点設定画面９０１に表示を遷移する。このように、指標保存部４０３において保存される指標項目、得点及び重み係数を設定変更可能にすることにより、施設ごとの運用体系を適用した柔軟な送信保留時間の決定方法を設定することが可能となる。
【００６８】
（第２の実施形態）
次に、第２の実施形態に係る医用画像撮影装置の構成及び動作について説明する。第１の実施形態では、送信保留時間が経過した後でなければ、検査終了通知が送信されないため、早期に会計処理を行いたい場合に対応することができない。本実施形態では、検査終了通知が病院内情報システムに送信されていない送信保留状態であっても、必要に応じて、病院内情報システムで会計処理を行うことができる実施形態について説明する。
まず、本実施形態に係る医用画像撮影装置の内部構成について図１２を参照して説明する。
図１２は、医用画像撮影装置の内部構成の一例を示す図である。ここで、本実施形態に係る医用画像撮影装置３０３は、第１の実施形態に示す図３と同様の構成である。ここで、図１２に示す医用画像撮影装置３０３の構成要素５０１〜５１１は、図３に示す医用画像撮影装置３０３の構成要素４０１〜４１１に対応する。
ここで、第１の実施形態では、検査ごとに送信保留時間を決定し、カウント完了後に検査終了通知を送信するのみであった。本実施形態では、病院内情報システム３００で会計処理を行いたい場合に、その検査の検査終了情報が未送信であれば、カウント状況に係らず送信が可能である。すなわち、本実施形態では、受信部５０１が、検査要求情報を受信するのみではなく、病院内情報システム３００から送信される会計処理要求を受信する。
【００６９】
次に、本実施形態に係る医用画像撮影装置の動作処理について図１３を参照して説明する。
図１３は、検査要求情報を受信してから検査終了通知を送信するまでの動作処理の一例を示すフローチャートである。この処理は、医用画像撮影装置３０３のＣＰＵ１８がＲＯＭ１６等に格納されたプログラムを実行することにより実現する。
なお、図１３に示すフローチャートのうち、ステップＳ８０１〜ステップＳ８１０については、第１の実施形態と同様である。したがって、以下では、ステップＳ８１１以降の処理についてのみ説明する。
【００７０】
ステップＳ８１１では、受信部５０１は、送信保留時間カウント部５０８が送信保留時間のカウントしている間、病院内情報システム３００から会計処理要求が通知されたか否かを判定する。すなわち、受信部５０１は、検査管理部５０７が送信保留時間のカウントの完了通知を受信する前に、病院内情報システム３００から会計処理要求が通知されたか否かを判定する。この処理は、会計処理要求判定手段による処理の一例に対応する。会計処理要求が通知された場合、ステップＳ８１３に処理を進める。
【００７１】
ステップＳ８１３では、受信部５０１が病院内情報システム３００から会計処理要求の通知を受信する。続いて、受信部５０１は、撮影実施部５０４を介して会計処理要求を検査管理部５０７に送信する。検査管理部５０７は、会計処理要求を受信すると、会計処理の要求された検査が送信保留状態であることを確認する。確認した後、検査管理部５０７は、カウント強制終了指示を送信保留時間カウント部５０８に送信すると共に、検査の状態を送信保留状態から終了状態に遷移させる。また、送信保留時間カウント部５０８は、カウント強制終了指示を受信すると、指示された検査の送信保留時間のカウントを終了する。
【００７２】
ステップＳ８１４では、検査管理部５０７は、終了状態にした検査について、検査終了通知、検査終了情報及び画像データの送信指示を送信部５１１に送信する。送信部５１１は、検査終了情報を付加した検査終了通知及び画像データを、それぞれ対応した病院内情報システム３００に送信する。
また、検査管理部５０７は、表示部１１のＧＵＩで表示されている過去検査リストを更新する。すなわち、検査管理部５０７は、過去検査リストにおいて、終了状態となった検査の「検査終了情報通知済」欄の表示を「済」に変更する。
【００７３】
一方、ステップＳ８１１において、受信部５０１が、会計処理要求を受信しない場合、ステップＳ８１２に処理を進める。なお、ステップＳ８１２の処理は、第１の実施形態の図４のフローチャートのステップＳ７１１と同様な処理であり、その説明は省略する。
本実施形態では、撮影追加指示による検査再開は、送信保留時間のカウントが完了するまで又は病院内情報システム３００から会計処理要求が通知されるまでの間は何度でも可能である。
このように、本実施形態によれば、病院内情報システムから会計処理要求が通知された場合、送信保留時間のカウントを強制的に終了し、検査終了情報を付加した検査終了通知及び画像データを、それぞれ対応した病院内情報システム３００に送信する。したがって、病院内情報システムでは、早期に会計処理を行うことができる。
【００７４】
（第３の実施形態）
次に、第３の実施形態に係る医用画像撮影装置の構成及び動作について説明する。上述した実施形態では、検査終了通知等が病院内情報システムに送信されていない送信保留状態のときに、操作者が医用画像撮影装置の電源をオフにした場合、検査終了通知等が送信されないままになり、病院内情報システムにおいて後処理を行うことができない。本実施形態では、検査終了通知等が病院内情報システムに送信されていない送信保留状態で、操作者が医用画像撮影装置の電源がオフにした場合であっても、検査終了通知等を病院内情報システムに送信することができるようにする。
まず、本実施形態に係る医用画像撮影装置の内部構成について図１４を参照して説明する。
図１４は、医用画像撮影装置の内部構成の一例を示す図である。ここで、本実施形態に係る医用画像撮影装置３０３は、第１の実施形態に示す図３と略同様の構成であるが、第１の実施形態と異なり、電源部６１４を有している。ここで、図１４に示す医用画像撮影装置３０３の構成要素６０１〜６１１は、図３に示す医用画像撮影装置３０３の構成要素４０１〜４１１に対応する。
電源部６１４は、医用画像撮影装置３０３に付随する電源であり、医用画像撮影装置３０３の起動のオン状態とオフ状態とを切り替える。また、電源部６１４は、オン状態からオフ状態に切り替えるとき、検査管理部６０７に電源オフ通知を送信する。検査管理部６０７は、この電源オフ通知を受信したとき、送信保留時間のカウント状況に係らず強制的に送信保留状態の検査の検査終了通知を病院内情報システム３００に送信させる。
【００７５】
次に、本実施形態に係る医用画像撮影装置の動作処理について図１５を参照して説明する。図１５は、検査要求情報を受信してから検査終了通知を送信するまでの動作処理の一例を示すフローチャートである。この処理は、医用画像撮影装置３０３のＣＰＵ１８がＲＯＭ１６等に格納されたプログラムを実行することにより実現する。
なお、図１５に示すフローチャートのうち、ステップＳ９０１〜ステップＳ９１０については、第１の実施形態と同様である。したがって、以下では、ステップＳ９１１以降の処理についてのみ説明する。
【００７６】
ステップＳ９１１では、電源部６１４は、送信保留時間カウント部６０８が送信保留時間のカウントしている間、操作者により医用画像撮影装置３０３の電源オフの指示がされたか否かを判定する。すなわち、電源部６１４は、検査管理部６０７が送信保留時間のカウントの完了通知を受信する前に、操作者により医用画像撮影装置３０３の電源オフ指示要求がされたか否かを判定する。この処理は、電源オフ指示要求判定手段による処理の一例に対応する。電源オフの指示がされた場合、ステップＳ９１３に処理を進める。
【００７７】
ステップＳ９１３では、電源部６１４は、電源をオフ状態にする前に、検査管理部６０７に電源オフ通知を送信する。検査管理部６０７は、電源オフ通知を受信すると、送信保留時間カウント部６０８にカウント強制終了指示を通知する。検査管理部６０７は、カウント強制終了指示を送信保留時間カウント部６０８に送信すると共に、送信保留時間カウントを行っているすべての検査の状態を送信保留状態から終了状態に遷移させる。また、送信保留時間カウント部６０８は、カウント強制終了指示を受信すると、指示された検査の送信保留時間のカウントを終了する。
【００７８】
ステップＳ９１５では、検査管理部６０７は、終了状態にした全ての検査について、検査毎に検査終了通知、検査終了情報及び画像データの送信指示を送信部６１１に送信する。送信部６１１は、送信指示を受信すると、検査終了情報を付加した検査終了通知及び画像データを、それぞれ対応した病院内情報システム３００に送信する。
送信部６１１は、全ての検査の検査終了通知を送信したことを確認すると、検査管理部６０７を介して電源部６１４に送信完了通知を送信する。電源部６１４は、送信完了通知を受信すると、医用画像撮影装置３０３の電源をオフ状態に切り替える。
また、検査管理部６０７は、表示部１１のＧＵＩで表示されている過去検査リストを更新する。すなわち、検査管理部６０７は、過去検査リストにおいて、終了状態にした検査の「検査終了情報通知済」欄の表示を「済」に変更する。
【００７９】
一方、ステップＳ９１１において、電源部６１４が操作者による電源オフの指示を判定しない場合、ステップＳ９１２及びステップＳ９１４に処理を進める。ここで、ステップＳ９１２及びステップＳ９１４の処理は、それぞれ第１の実施形態の図４のフローチャートのステップＳ７１１及びステップＳ７１２と同様な処理であり、その説明は省略する。
【００８０】
なお、図１５に示すフローチャートでは、操作者が医用画像撮影装置３０３の電源オフが指示するタイミングをステップＳ９１０の処理後に判定する場合について説明したが、この場合に限られない。すなわち、電源部６１４は、操作者がどのようなタイミングで医用画像撮影装置３０３の電源オフの指示を判定しても、その後、ステップＳ９１３及びステップＳ９１５の処理に進み、上述した処理が行われる。
本実施形態では、撮影追加指示による検査再開は、送信保留時間のカウントが完了するまで又は、医用画像撮影装置３０３の電源がオフになるまでの間は何度でも可能である。
このように、本実施形態によれば、医用画像撮影装置３０３の電源がオフされた場合であっても、送信保留状態の検査の検査終了通知を病院内情報システムに送信するために、検査終了通知が送信されない状態を回避することができる。
【００８１】
（第４の実施形態）
次に、第４の実施形態に係る医用画像撮影装置の構成及び動作について説明する。
上述した実施形態では、操作者が送信保留状態の検査の画像データを高精細に表示できる画像保存表示装置で検像したい場合であっても、送信保留時間が経過しなければ画像データが画像保存表示装置に送信されない。したがって、操作者は、早期に画像データを検像することができない。本実施形態では、画像データと検査終了通知との送信するタイミングを異ならせることで、操作者が早期に画像データを検像して、検査追加を行うか否か等の判断を行うことができるようにする。
【００８２】
本実施形態に係る医用画像撮影装置の内部構成について図１６を参照して説明する。
図１６は、医用画像撮影装置の内部構成の一例を示す図である。図１６に示す医用画像撮影装置の機能構成は、ＣＰＵ１８がＲＯＭ１６や内部記憶装置１９に格納したプログラムを実行することにより実現する。なお、図１６では、ＨＩＳ３０１、ＲＩＳ３０２をまとめて検査管理システム３０７として示している。また、検査管理システム３０７と画像保存表示装置とを含めて病院内情報システム３００として示している。更に、図１６では、画像保存表示装置３０６として示しているが、単に画像データを表示する画像表示装置であってもよい。
受信部１４０５は、検査管理システム３０７及び画像保存表示装置３０６と通信を行い、特に検査要求情報を受信する。
【００８３】
検査要求情報管理部１４０６は、受信部１４０５から検査要求情報を受信して、管理する。検査要求情報管理部１４０６は、医用画像撮影装置３０３の表示部１１にＧＵＩで検査要求リストを表示したり、保持している検査要求情報に対する撮影実施部１４０８からの検査開始通知及び検査終了通知を受信したりする。検査要求情報管理部１４０６は、検査終了通知を受信するときに、検査の実施内容が含まれている検査実施情報を受信する。検査要求情報管理部１４０６は、検査実施情報を受信すると、対応する検査要求情報及び検査実施情報を用いて検査管理システム３０７に通知するための検査終了情報を作成する。
【００８４】
検査実施情報管理部１４０７は、検査要求情報を受信し、撮影実施部１４０８と連携して各検査の実施状態を未実施状態、実施中状態、送信保留状態、終了状態、再開中状態のうち何れの状態であるかを管理する。ここで、未実施状態とは、検査要求情報を受信してから一度も検査を開始していない状態である。実施中状態とは、医用画像撮影装置３０３で撮影を実施している状態である。送信保留中状態とは、一度実施した検査であって、検査開始後に終了指示が出され、検査終了通知が保留の状態である。終了状態とは、決定された送信保留時間が経過して検査終了情報及び画像保存要求が病院内情報システム３００に送信された状態である。再開中状態は、送信保留中状態の検査に対して撮影追加指示が出された状態であり、医用画像撮影装置３０３で撮影を実施している状態である。検査実施情報管理部１４０７は、医用画像撮影装置３０３で保持している全検査要求情報がどのような状態であるかを管理し、整合性を保つ役割を担う。検査実施情報管理部１４０７は、ＣＰＵ等の演算装置及び主記憶装置、及びそれを制御するプログラムから構成される。
【００８５】
撮影実施部１４０８は、操作者の指示に応じて撮影を行う。また、撮影実施部１４０８は、操作者の検査開始指示、検査終了指示を検査要求情報管理部１４０６及び検査実施情報管理部１４０７に通知する。撮影実施部１４０８は、検査終了指示を受信すると取得した画像データを画像データ管理部１４０９に送信する。
また、撮影実施部１４０８は、マウスコントローラやキーボードといった外部ユーザインターフェースと接続されている。撮影実施部１４０８は、操作者による操作に応じて、医用画像撮影装置３０３の表示部１１に表示するＧＵＩを制御する。
【００８６】
画像データ管理部１４０９は、検査の実施によって取得した画像データを管理する。より具体的に説明すると、撮影実施部１４０８から受信した画像データを保存したり、送信部１４１６に画像データを送信したり、送信部１４１６に画像データの送信指示を通知する。
送信部１４１６は、病院内情報システム３００と通信を行い、特に検査終了情報、画像保存要求及び取得画像データの送信を行う。
【００８７】
送信保留時間管理部１４１２は、検査要求情報、患者情報、検査実施情報、操作者撮影追加回数情報及び患者撮影追加回数情報を受信する。送信保留時間管理部１４１２は、受信した情報に基づいて、指標保存部１４１１を参照して指標得点を算出し、検査毎に画像保存要求の送信保留時間と検査終了情報の送信保留時間とを決定する。
送信保留時間カウント部１４１５は、送信保留時間管理部１４１２のカウント開始指示によりカウントを開始する。送信保留時間カウント部１４１５は、送信保留時間のカウントをした後に、送信部１４１６にカウント終了通知を送信する。なお、本実施形態では、医用画像撮影装置３０３内に送信保留時間カウント部１４１５を構成しているが、この場合に限られず、例えばＵＳＢ等の接続インターフェースやネットワークを用いて医用画像撮影装置３０３の外部から直接、接続してもよい。
【００８８】
ユーザ撮影追加回数カウント部１４１３は、内部保存している操作者のユーザ情報を用いて、検査実施情報管理部１４０７から撮影追加通知を受信する度に、操作者毎の撮影追加回数をカウントする。
患者撮影追加回数カウント部１４１４は、内部保存している患者情報を用いて、検査実施情報管理部１４０７から撮影追加通知を受信する度に患者毎の撮影追加回数をカウントする。
【００８９】
指標保存部１４１１には、検査要求情報、患者情報、検査実施情報、ユーザ撮影追加回数情報及び患者撮影追加回数情報に含まれる各項目及びそれらに設定されている指標得点及び各項目に対する重み係数が記憶されている。指標保存部１４１１は、内部記憶装置１９及びそれを制御するプログラムから構成される。なお、本実施形態では、医用画像撮影装置３０３内に指標保存部１４１１を構成しているが、この場合に限られず、例えばＵＳＢ等の接続インターフェースを用いて医用画像撮影装置３０３の外部から直接、接続してもよい。また、指標保存部１４１１を情報記憶サーバで構成し、複数の医用画像撮影装置３０３にネットワークを介して接続して構成してもよい。このように指標保存部１４１１をネットワークにより複数の医用画像撮影装置３０３で共有することで、各医用画像撮影装置３０３において指標得点を設定する必要がなく、指標得点の管理が容易になり、指標得点の整合性が取ることができる。
指標得点設定部１４１０は、指標保存部１４１１に保存されている各項目に対して指標として用いるか否か、また用いる場合の項目毎の得点及び重み係数の値の変更を行う。
【００９０】
次に、本実施形態に係る医用画像撮影装置の動作処理について図１７に示すフローチャートを参照して説明する。図１７は、検査要求情報を受信してから検査終了通知を送信するまでの動作処理の一例を示すフローチャートである。この処理は、医用画像撮影装置３０３のＣＰＵ１８がＲＯＭ１６等に格納されたプログラムを実行することにより実現する。
まず、ステップＳ１７０１では、送信部１４１６は、検査管理システム３０７に対してネットワークを介して検査要求情報を送信するように要求を行う。この要求を出すタイミングは、主に操作者が医用画像撮影装置３０３の表示部１１のＧＵＩで表示された検査要求情報取得指示ボタンを押下したときである。ただし、この他にも送信部１４１６は、一定時間毎に自動で要求を行ったり、操作者の検査要求情報をリスト表示する指示のタイミングで要求を行ったりしてもよく、そのタイミングは一つに限定されない。
【００９１】
なお、検査要求情報の送信を要求するとき、検査要求情報に含まれる項目に対してそれぞれ取得条件の設定が可能である。すなわち、送信部１４１６が、取得条件を一つでも入力した状態で検査管理システム３０７に要求を行なう。この場合、検査管理システム３０７は、保持している検査要求情報のうち、まだ開始されていない検査要求情報であって、取得条件と一致する検査要求情報を取り出し、医用画像撮影装置３０３に返信する。受信部１４０５は、返信された検査要求情報を受信する。続いて、受信部１４０５は、取得した検査要求情報を検査要求情報管理部１４０６に送信する。検査要求情報管理部１４０６は、取得した検査要求情報をリスト化して表示部１１にＧＵＩで表示し、同時に内部記憶装置１９に検査要求情報を保存する。
【００９２】
ステップＳ１７０２では、操作者はリスト表示された検査要求情報から実施する検査要求情報を選択する。検査要求情報管理部１４０６は、操作者により選択された検査要求情報を詳細な情報に切り替えて表示する。なお、操作者は、リスト表示された検査要求情報から実施する検査に対応する検査要求情報を一つ選択する場合に限られず、複数の検査を選択してもよい。すなわち、医用画像撮影装置３０３では、選択された検査要求情報の検査を同時に開始することもできる。
ステップＳ１７０３では、操作者は表示部１１にＧＵＩで表示された検査開始ボタンを押下する。
ステップＳ１７０４では、撮影実施部１４０８は、操作者による検査開始の指示に応じて選択された検査要求情報に基づき、検査を開始する。このとき、撮影実施部１４０８は、検査実施情報管理部１４０７を介して送信部１４１６に検査管理システム３０７に対して検査開始通知を行うよう指示をする。このとき、検査実施情報管理部１４０７は、通知された検査要求情報の状態を未実施状態から実施中状態に遷移させる。送信部１４１６は、検査管理システム３０７に検査開始通知を送信する。その後、撮影実施部４０４は、操作者による撮影指示に応じて繰り返し医用画像の撮影を行う。
【００９３】
ステップＳ１７０５では、撮影実施部４０４は、操作者が検査終了指示をした否かを判定する。操作者は、検査に必要な撮影と後処理を全て終了すると表示部１１のＧＵＩで表示された検査終了ボタンを押下する。操作者による検査終了指示を受けた場合、撮影実施部１４０８は、ステップＳ１７０６に処理を進め、検査終了指示を受けない場合、ステップＳ７０４に処理を戻す。
【００９４】
ステップＳ１７０６では、撮影実施部１４０８は、実施している検査を終了し、検査実施結果から検査実施情報を作成する。この後、撮影実施部１４０８は、検査実施情報管理部１４０７を介して、検査要求情報管理部１４０６に検査終了通知及び検査実施情報を送信する。検査要求情報管理部１４０６は、検査終了通知を受信すると、検査要求情報、検査実施情報及び検査要求情報に含まれる患者情報を用いて、画像保存表示装置３０６に送信するための画像保存要求情報を作成する。
ステップＳ１７０７では、検査要求情報管理部１４０６は、検査要求情報、検査実施情報及び検査要求情報に含まれる患者情報を用いて、検査管理システム３０７に送信する検査終了通知に付加する検査終了情報を作成する。なお、上述したステップＳ１７０６及びステップＳ１７０７の動作処理は同時に行われてもよく、順序が逆であってもよい。
【００９５】
ステップＳ１７０８では、検査実施情報管理部１４０７は、通知された検査要求情報の状態を実施中状態から送信保留状態に遷移させる。また、撮影実施部１４０８は、取得した画像データを画像データ管理部１４０９に送信する。画像データ管理部１４０９は、画像データを受信すると、内部記憶装置１９に画像データを保存すると共に、画像データを送信部１４１６に送信する。送信部１４１６は、画像データを受信すると、そのままネットワークを介して画像保存表示装置３０６に送信する。この処理は、画像データ送信手段による処理の一例に対応する。したがって、操作者は画像データを直ぐに画像保存表示装置３０６で検像することができる。
【００９６】
ステップＳ１７０９では、検査実施情報管理部１４０７は、表示部１１にＧＵＩで表示する過去検査情報リストに作成した検査終了情報の一部を追加して表示する。なお、送信保留状態の検査を過去検査情報リストに表示したＧＵＩは、上述した図７と同様である。
ステップＳ１７１０では、検査要求情報管理部１４０６は、検査要求情報及び検査実施情報を送信保留時間管理部１４１２に送信する。送信保留時間管理部１４１２は、検査要求情報及び検査実施情報を受信する。また、検査実施情報管理部１４０７は、ユーザ撮影追加回数カウント部１４１３及び患者撮影追加回数カウント部１４１４に対して撮影追加回数の送信指示をする。ユーザ撮影追加回数カウント部１４１３及び患者撮影追加回数カウント部１４１４は、撮影追加回数の送信指示を受信すると、それぞれが保持している撮影追加回数情報を送信保留時間管理部１４１２に送信する。送信保留時間管理部１４１２は、検査要求情報、検査実施情報、ユーザ撮影追加回数情報及び患者撮影追加回数情報を受信する。そして、送信保留時間管理部１４１２は、上述した送信保留時間決定方法を用いて検査終了情報及び画像保存要求の送信保留時間を決定する。
【００９７】
ステップＳ１７１１では、送信保留時間管理部１４１２は、送信保留時間カウント部１４１５にカウント開始指示を送信する。送信保留時間カウント部１４１５は、カウント開始指示を受信すると同時にカウントを開始する。送信保留時間カウント部１４１５が、カウントを完了した場合、送信部１４１６及び送信保留時間管理部１４１２にカウント完了通知を送信する。
ステップＳ１７１２では、撮影実施部１４０８は、送信保留時間カウント部１４１５が送信保留時間のカウントをしている間、操作者による撮影追加指示が行われたか否かを判定する。すなわち、撮影実施部１４０８は、送信保留時間管理部１４１２が送信保留時間のカウントの完了通知を受信する前に、操作者による撮影追加指示が行われたか否かを判定する。操作者による撮影追加指示がない場合、撮影実施部１４０８は、ステップＳ１７１３に処理を進める。
【００９８】
ステップＳ１７１３では、送信保留時間カウント部１４１５は、送信保留時間管理部１４１２を介して検査実施情報管理部１４０７及び送信部１４１６にカウント完了通知を送信する。
ステップＳ１７１４では、検査実施情報管理部１４０７は、カウント完了通知を受信すると、検査の状態を送信保留状態から終了状態に遷移させる。また、送信部１４１６は、カウント完了通知を受信すると、検査終了情報と画像保存要求とを病院内情報システム３００に送信する。より具体的に説明すると、送信部１４１６は、ネットワークを介して、検査終了情報を付加した検査終了通知を検査管理システム３０７に送信し、画像保存要求を画像保存表示装置３０６に送信する。
また、検査実施情報管理部１４０７は、表示部１１のＧＵＩで表示されている過去検査リストを更新する。すなわち、検査実施情報管理部１４０７は、過去検査リストにおいて終了状態となった検査の「検査終了情報通知済」欄の表示を「済」に変更する。
また、画像保存表示装置３０６は、画像保存要求を受信すると、ステップＳ１７０８で受信した画像データを保存する。また、検査管理システム３０７は、検査終了情報を付加した検査終了通知を受信すると、検査終了情報をデータベース等で管理する。
【００９９】
一方、ステップＳ１７１２において、撮影実施部１４０８が、操作者による撮影追加指示を判定すると、検査再開指示を行い、ステップＳ１７０３に処理を戻す。このとき、検査実施情報管理部１４０７は、指定された検査要求情報の状態を送信保留状態から再開中状態に遷移させる。なお、再開された後の検査の流れは、上述したステップＳ１７０３からステップＳ１７１１までの処理と同様である。
【０１００】
すなわち、撮影追加指示による検査再開された後、ステップＳ１７０７まで処理が進められた場合、検査要求情報管理部１４０６は、撮影追加指示により追加された検査を含めた検査実施情報等を用いて、検査終了情報を更新して作成する。なお、検査要求情報管理部１４０６は、撮影追加指示により追加された検査を含めた検査実施情報等を用いて、新たに検査終了情報を作成してもよい。
その後、ステップＳ１７０８では、撮影実施部１４０８は、撮影追加指示により取得した画像データを画像データ管理部１４０９に送信する。画像データ管理部１４０９は、画像データを受信すると、内部記憶装置１９に画像データを保存すると共に、画像データを送信部１４１６に送信する。送信部１４１６は、画像データを受信すると、そのままネットワークを介して画像保存表示装置３０６に送信する。したがって、操作者は撮影追加指示により取得した画像データを直ぐに画像保存表示装置３０６で検像することができる。
【０１０１】
その後、ステップＳ１７１０では、送信保留時間管理部１４１２は、撮影追加指示により追加された検査を含めた検査実施情報等に基づいて、送信保留時間を決定する。
更に、その後、ステップＳ１７１４では、送信部１４１６は、新たに決定された送信保留時間のカウント完了通知を受信すると、更新した検査終了情報と画像保存要求とを病院内情報システム３００に送信する。なお、撮影追加指示により追加された検査により新たに検査終了情報を作成した場合は、送信部１４１６は、撮影追加前に作成した検査終了情報と撮影追加後に作成した検査終了情報とを送信する。
【０１０２】
なお、撮影追加指示による検査再開は、送信保留時間のカウントが完了するまでは何度でも行うことができる。このように、本実施形態によれば、操作者は撮影追加指示により取得した画像データを直ぐに画像保存表示装置３０６で検像することができる。
【０１０３】
また、本実施形態に係る医用画像撮影装置の送信保留時間決定の動作処理は、上述した第１の実施形態の図５に示すフローチャートと略同一であり、その説明を省略する。すなわち、本実施形態は、第１の実施形態の撮影実施部４０４、検査管理部４０７、送信保留時間決定部４０５が、それぞれ撮影実施部１４０８、検査実施情報管理部１４０７、送信保留時間管理部１４１２に対応する。更に、本実施形態は、第１の実施形態の指標保存部４０３、指標得点設定部４０２が、それぞれ指標保存部１４１１、指標得点設定部１４１０に対応する。
【０１０４】
また、本実施形態に係る医用画像撮影装置の表示部に表示される過去検査情報リストのＧＵＩは、上述した第１の実施形態の図７に示す過去検査情報リストと同一であり、その説明を省略する。
【０１０５】
また、本実施形態に係る送信保留状態の検査に対して撮影追加指示が行われたときの医用画像撮影装置の動作処理は、上述した第１の実施形態の図８に示すフローチャートと略同一である。すなわち、本実施形態は、第１の実施形態の撮影実施部４０４、検査管理部４０７、送信保留時間決定部４０５、指標保存部４０３が、それぞれ指標保存部１４１１、撮影実施部１４０８、検査実施情報管理部１４０７、送信保留時間管理部１４１２に対応する。また、第１の実施形態の指標得点設定部４０２、ユーザ撮影追加回数カウント部４０９、患者撮影追加回数カウント部４１０が、それぞれ指標得点設定部１４１０、ユーザ撮影追加回数カウント部１４１３、患者撮影追加回数カウント部１４１４に対応する。なお、本実施形態に係る送信保留状態の検査に対して撮影追加指示が行われたときの医用画像撮影装置の動作処理について、第１の実施形態と異なる動作処理は、ステップＳ１１０２である。
すなわち、ステップＳ１１０２では、検査実施情報管理部１４０７は、操作者によって撮影追加指示された検査要求情報に対して送信保留状態から再開中状態に遷移させる。このように、本実施形態に係る医用画像撮影装置では、送信保留状態の検査に対する撮影追加指示に応じて、検査を再開することができる。
【０１０６】
また、送信保留時間決定に使用される指標保存部に保存されている指標得点を確認したり設定したりするためのＧＵＩは、上述した第１の実施形態の図９、図１０及び図１１と略同一であり、その説明を省略する。すなわち、本実施形態は、第１の実施形態の指標保存部４０３、指標得点設定部４０２が、それぞれ指標保存部１４１１、指標得点設定部１４１０に対応する。
【０１０７】
（第５の実施形態）
次に、第５の実施形態に係る医用画像撮影装置の構成及び動作について説明する。第４の実施形態では、送信保留時間が経過した後でなければ、検査終了通知が送信されないため、早期に会計処理を行いたい場合に対応することができない。本実施形態では、検査終了通知が病院内情報システムに送信されていない送信保留状態であっても、必要に応じて、検査管理システムで会計処理を行うことができる実施形態について説明する。
まず、本実施形態に係る医用画像撮影装置の内部構成について図１８を参照して説明する。
図１８は、医用画像撮影装置の内部構成の一例を示す図である。ここで、本実施形態に係る医用画像撮影装置３０３は、第４の実施形態に示す図１６と同様の構成である。ここで、図１２に示す医用画像撮影装置３０３の構成要素１５０５〜１５１６は、図１６に示す医用画像撮影装置３０３の構成要素１４０５〜１４１６に対応する。
ここで、第４の実施形態では、検査毎に送信保留時間を決定し、カウント完了後に検査終了通知及び画像保存要求を送信するのみであった。本実施形態では、検査管理システム３０７で会計処理を行いたい場合に、その検査の検査終了情報及び画像保存要求が未送信であれば、カウント状況に係らず送信が可能である。したがって、本実施形態では、受信部１５０５が、検査要求情報を受信するのみではなく、検査管理システム３０７から送信される会計処理要求を受信する。
【０１０８】
次に、本実施形態に係る医用画像撮影装置の動作処理について図１９を参照して説明する。
図１９は、検査要求情報を受信してから検査終了通知を送信するまでの動作処理の一例を示すフローチャートである。この処理は、医用画像撮影装置３０３のＣＰＵ１８がＲＯＭ１６等に格納されたプログラムを実行することにより実現する。
なお、図１９に示すフローチャートのうち、ステップＳ１８０１〜ステップＳ１８１２については、第４の実施形態と同様である。したがって、以下では、ステップＳ１８１３以降の処理についてのみ説明する。
【０１０９】
ステップＳ１８１３では、受信部１５０５は、送信保留時間カウント部１５１５が送信保留時間のカウントしている間に検査管理システム３０７から会計処理要求が通知されたか否かを判定する。会計処理要求が通知された場合、ステップＳ１８１５に処理を進める。
ステップＳ１８１５では、受信部１５０５が検査管理システム３０７から会計処理要求の通知を受信する。続いて、受信部１５０５は、会計処理要求を受信すると、会計処理要求を検査実施情報管理部１５０７を介して送信保留時間管理部１５１２に送信する。送信保留時間管理部１５１２は、会計処理要求を受信すると、会計処理要求された検査が送信保留状態であることを確認する。確認した後、送信保留時間管理部１５１２は、送信保留時間カウント部１５１５にカウント終了指示を通知する。また、検査実施情報管理部１５０７は、会計処理要求された検査の状態を送信保留状態から終了状態に遷移させる。また、送信保留時間カウント部１５１５は、カウント終了指示を受信すると、指示された検査の送信保留時間のカウントを終了する。また、検査要求情報管理部１５０６は、送信部１５１６に検査終了通知、検査終了情報及び画像保存要求の送信指示を通知する。
【０１１０】
ステップＳ１８１６では、検査実施情報管理部１５０７は、カウント終了指示を受信すると、検査の状態を送信保留状態から終了状態に遷移させる。また、送信部１５１６は、検査終了通知、検査終了情報及び画像保存要求情報の送信指示を受信すると、検査終了情報を付加した検査終了通知を検査管理システム３０７に送信し、画像保存要求を画像保存表示装置３０６に送信する。
また、検査実施情報管理部１５０７は、表示部１１のＧＵＩで表示されている過去検査リストを更新する。すなわち、検査実施情報管理部１５０７は、過去検査リストにおいて終了状態となった検査の「検査終了情報通知済」欄の表示を「済」に変更する。
【０１１１】
一方、ステップＳ１８１３において、受信部１５０５が、会計処理要求を受信しない場合、ステップＳ１８１４に処理を進める。なお、ステップＳ１８１４の処理は、第１の実施形態の図１７のフローチャートのステップＳ１７１３と同様な処理であり、その説明は省略する。
本実施形態では、撮影追加指示による検査再開は、送信保留時間のカウントが完了するまで又は検査管理システムから会計処理要求が通知されるまでの間は何度でも可能である。
このように、本実施形態によれば、検査管理システムから会計処理要求が通知された場合、送信保留時間のカウントを強制的に終了し、検査終了情報を付加した検査終了通知を検査管理システムに送信する。したがって、検査管理システム３０７では、早期に会計処理を行うことができる。
【０１１２】
なお、上述したステップＳ１８１３では、受信部１５０５が、検査管理システム３０７から会計処理要求が通知されたか否かを判定する場合について説明したが、この場合に限られない。例えば、ステップＳ１８１３では、受信部１５０５が、画像保存表示装置３０６から検像終了通知がされるか否かを判定してもよい。この処理は、検像終了通知判定手段による処理の一例に対応する。すなわち、操作者が画像保存表示装置３０６で画像データを検像し、撮影追加をする必要がないと判断した場合、画像保存表示装置３０６の入力部を介して検像終了を指示する。すると、画像保存表示装置３０６は、検像終了通知を医用画像撮影装置３０３に送信し、受信部１５０５は、検像終了通知を受信する。なお、その後の、ステップＳ１８１５及びステップＳ１８１６の処理は、上述した処理と同様である。このように、操作者が、撮影追加を指示しない場合、検査管理システムでは、早期に会計処理を行うことができる。
【０１１３】
（第６の実施形態）
次に、第６の実施形態に係る医用画像撮影装置の構成及び動作について説明する。第４、第５の実施形態では、検査終了通知等が検査管理システムに送信されていない送信保留状態のときに、操作者が医用画像撮影装置の電源をオフにした場合、検査終了通知等が送信されないままになり、検査管理システムにおいて後処理を行うことができない。本実施形態では、検査終了通知等が病院内情報システムに送信されていない送信保留状態で、操作者が医用画像撮影装置の電源がオフにした場合であっても、検査終了通知等を病院内情報システムに送信することができるようにする。
まず、本実施形態に係る医用画像撮影装置の内部構成について図２０を参照して説明する。
図２０は、医用画像撮影装置の内部構成の一例を示す図である。ここで、本実施形態に係る医用画像撮影装置３０３は、第４の実施形態の示す図１６と略同様の構成であるが、第４の実施形態と異なり、電源部１６１７を有している。ここで、図２０に示す医用画像撮影装置３０３の構成要素１６０５〜１６１６は、図１６に示す医用画像撮影装置３０３の構成要素１４０５〜１４１６に対応する。
電源部１６１７は、医用画像撮影装置３０３に付随する電源であり、医用画像撮影装置３０３の起動のオン状態とオフ状態とを切り替える。また、電源部１６１７は、オン状態からオフ状態に切り替えるとき、撮影実施部１６０８を介して検査実施情報管理部１６０７に電源オフ通知を送信する。検査実施情報管理部１６０７は、この電源オフ通知を受信したとき、送信保留状態の検査に対しての検査終了通知、検査終了情報及び画像保存要求を病院内情報システム３００に送信させる。
【０１１４】
次に、本実施形態に係る医用画像撮影装置の動作処理について図２１を参照して説明する。図２１は、検査要求情報を受信してから検査終了通知を送信するまでの動作処理の一例を示すフローチャートである。この処理は、医用画像撮影装置３０３のＣＰＵがＲＯＭ等に格納されたプログラムを実行することにより実現する。
なお、図２１に示すフローチャートのうち、ステップＳ１９０１〜ステップＳ１９１２については、第４の実施形態と同様である。したがって、以下では、ステップＳ１９１３以降の処理についてのみ説明する。
【０１１５】
ステップＳ１９１３では、電源部１６１７は、送信保留時間カウント部１６１５が送信保留時間のカウントしている間、操作者により医用画像撮影装置３０３の電源オフの指示がされたか否かを判定する。電源オフの指示がされた場合、ステップＳ１９１５に処理を進める。
ステップＳ１９１５では、電源部１６１７は、電源をオフ状態にする前に、撮影実施部１６０８を介して検査実施情報管理部１６０７に電源オフ通知を送信する。検査実施情報管理部１６０７は、電源オフ通知を受信すると、送信保留時間管理部１６１２を介して送信保留時間カウント部１６１５にカウント終了指示を通知する。また、検査実施情報管理部１６０７は、この時点で送信保留状態の全ての検査の状態を送信保留状態から終了状態に遷移させる。また、送信保留時間カウント部１６１５は、カウント終了指示を受信すると、指示された検査の送信保留時間のカウントを終了する。
【０１１６】
ステップＳ１９１７では、検査実施情報管理部１６０７は、終了状態にした全ての検査について、検査毎に検査終了通知、検査終了情報及び画像保存要求情報の送信指示を送信部１６１６に送信する。送信部１６１６は、送信指示を受信すると、検査終了情報を付加した検査終了通知を検査管理システム３０７に送信し、画像保存要求情報を画像保存表示装置３０６に送信する。
送信部１６１６は、全ての検査の検査終了通知を送信したことを確認すると、検査実施情報管理部１６０７及び撮影実施部１６０８を介して電源部１６１７に送信完了通知を送信する。電源部１６１７は、送信完了通知を受信すると、医用画像撮影装置３０３の電源をオフ状態に切り替える。
また、検査実施情報管理部１６０７は、表示部１１のＧＵＩで表示されている過去検査リストを更新する。すなわち、検査実施情報管理部１６０７は、過去検査リストにおいて、終了状態にした検査の「検査終了情報通知済」欄の表示を「済」に変更する。
【０１１７】
一方、ステップＳ１９１３において、電源部１６１７が操作者による電源オフの指示を判定しない場合、ステップＳ１９１４及びステップＳ１９１５に処理を進める。ここで、ステップＳ１９１４及びステップＳ１９１６の処理は、それぞれ第４の実施形態の図１７のフローチャートのステップＳ１７１３及びステップＳ１７１４と同様な処理であり、その説明は省略する。
【０１１８】
なお、図２１に示すフローチャートでは、操作者が医用画像撮影装置３０３の電源オフが指示するタイミングをステップＳ１９１２の処理後に判定する場合について説明したが、この場合に限られない。すなわち、電源部１６１７は、操作者がどのようなタイミングで医用画像撮影装置３０３の電源オフの指示を判定しても、その後、ステップＳ１９１５及びステップＳ１９１７の処理に進み、上述した処理が行われる。
本実施形態では、撮影追加指示による検査再開は、送信保留時間のカウントが完了するまで又は、医用画像撮影装置３０３の電源がオフになるまでの間は何度でも可能である。
このように、本実施形態によれば、医用画像撮影装置３０３の電源がオフされた場合であっても、送信保留状態の検査の検査終了通知を病院内情報システムに送信するために、検査終了通知が送信されない状態を回避することができる。
【０１１９】
このように本実施形態によれば、医用画像撮影装置で実施した検査が終了してから病院情報システムに検査終了情報を付加した検査終了通知及び画像保存要求を送信するまでの送信保留時間を検査毎に検査情報等に基づいて設定することができる。したがって、例えば、一度終了処理を行った検査に撮影追加を行う場合であっても、再検査としてもう一度検査要求情報を取得して検査をやり直す必要等がなく、容易に撮影追加を行うことができるので、操作者の操作性が向上すると共に患者の負担が低減される。
【０１２０】
また、本実施形態によれば、医用画像撮影装置で取得した画像データを送信保留時間に関われず、検査終了のタイミングで送信することで、操作者は、検査終了後に画像保存表示装置の高精度モニタを利用して精度の高い検像を行うことができる。また、検像により撮影追加が必要となった場合、送信保留時間内であれば容易に追加することができる。したがって、検査終了後に撮影追加が必要になる可能性が高い検査を煩雑性という観点から検査情報を用いて判断し、送信保留時間を設定することは技師の撮影追加に対する措置として有益である。
【０１２１】
上述した本発明の実施形態における医用画像撮影装置を構成する各手段、及びその情報処理方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【０１２２】
また、本発明は、例えば、システム、装置、方法、プログラムもしくは記録媒体等としての実施形態も可能であり、具体的には、複数からなるシステムに適用してもよい。
【０１２３】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【０１２４】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１２５】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１２６】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【０１２７】
１１            表示部
１２            入力部
１３            センサ部
１４            Ｘ線発生部
１５            ＲＡＭ
１６            ＲＯＭ
１７            ＬＡＮ／ＩＦ
１８            ＣＰＵ
１９            内部記憶装置
３０１          ＨＩＳ
３０２          ＲＩＳ
３０３〜３０５  医用画像撮影装置
３０６          医用画像保存表示装置
４０１、５０１、６０１  受信部
４０２、５０２、６０２  指標得点設定部
４０３、５０３、６０３  指標保存部
４０４、５０４、６０４  撮影実施部
４０５、５０５、６０５  送信保留時間決定部
４０６、５０６、６０６  終了指示取り消し部
４０７、５０７、６０７  検査管理部
４０８、５０８、６０８  送信保留時間カウント部
４０９、５０９、６０９  ユーザ撮影追加回数カウント部
４１０、５１０、６１０  患者撮影回数カウント部
４１１、５１１、６１１  送信部
６１４                  電源部
１４０５、１５０５、１６０５  受信部
１４０６、１５０６、１６０６  検査要求情報管理部
１４０７、１５０７、１６０７  検査実施情報管理部
１４０８、１５０８、１６０８  撮影実施部
１４０９、１５０９、１６０９  画像データ管理部
１４１０、１５１０、１６１０  指標得点設定部
１４１１、１５１１、１６１１  指標保存部
１４１２、１５１２、１６１２  送信保留時間管理部
１４１３、１５１３、１６１３  ユーザ撮影追加回数カウント部
１４１４、１５１４、１６１４  患者撮影追加回数カウント部
１４１５、１５１５、１６１５  送信保留時間カウント部
１４１６、１５１６、１６１６  送信部
１６１７                      電源部
【図１】
2010253044.tif 000003
【図２】
2010253044.tif 000004
【図３】
2010253044.tif 000005
【図４】
2010253044.tif 000006
【図５】
2010253044.tif 000007
【図６】
2010253044.tif 000008
【図７】
2010253044.tif 000009
【図８】
2010253044.tif 000010
【図９】
2010253044.tif 000011
【図１０】
2010253044.tif 000012
【図１１】
2010253044.tif 000013
【図１２】
2010253044.tif 000014
【図１３】
2010253044.tif 000015
【図１４】
2010253044.tif 000016
【図１５】
2010253044.tif 000017
【図１６】
2010253044.tif 000018
【図１７】
2010253044.tif 000019
【図１８】
2010253044.tif 000020
【図１９】
2010253044.tif 000021
【図２０】
2010253044.tif 000022
【図２１】
2010253044.tif 000023
【図２２】
2010253044.tif 000024
【図２３】
2010253044.tif 000025